(57)【特許請求の範囲】
【請求項１】
フレキシブルイーサネット（登録商標、以下同じ）においてサービスストリームを送信するための方法であって、前記方法は、
送信対象のサービスストリームを取得するステップであって、前記サービスストリームは、送信側と受信側との間の物理接続グループによってサポートされるターゲット仮想接続を使用することによって送信されるべきであり、前記物理接続グループは、複数の物理接続を含み、少なくとも1つの仮想接続をサポートし、前記ターゲット仮想接続は、前記少なくとも1つの仮想接続のいずれか1つである、ステップと、
前記複数の物理接続の総帯域幅リソースから、前記複数の物理接続によって使用されるタイムスロット構成テーブルに従って、前記ターゲット仮想接続に属するタイムスロット帯域幅リソースを決定するステップであって、各物理接続が使用するタイムスロット構成テーブルは、各物理接続の帯域幅リソースを分割して得られた各タイムスロット帯域幅リソースが属する仮想接続を示すために使用される、ステップと、
前記ターゲット仮想接続に属する前記タイムスロット帯域幅リソースを使用して前記サービスストリームを前記受信側に送信するステップであって、各物理接続を介して送信されるオーバヘッドコードブロックは第1のフィールドを含み、前記第1のフィールドは各物理接続によって使用される前記タイムスロット構成テーブルの識別子を示し、各物理接続を介して送信される前記オーバヘッドコードブロックは、管理チャネルに使用されるフィールドをさらに含み、前記管理チャネルは、各物理接続によって使用される前記タイムスロット構成テーブルが変更されたときに、変更されたタイムスロット構成テーブルの内容を送信するために使用される、ステップと
を含む、方法。
【請求項２】
前記管理チャネルが、前記物理接続グループの構成テーブルが変更されたときに、前記物理接続グループの変更された構成テーブルの内容を送信するためにさらに使用され、前記物理接続グループの前記構成テーブルは、前記物理接続グループ内の各物理接続の識別子および前記物理接続間のシーケンスを示すために使用される、請求項１に記載の方法。
【請求項３】
前記管理チャネルが、プロトコルパケットに基づいて、前記タイムスロット構成テーブルの前記内容および／または前記物理接続グループの前記構成テーブルの前記内容を送信するために使用される、請求項１または２に記載の方法。
【請求項４】
前記管理チャネルが、前記プロトコルパケットに基づいて、前記タイムスロット構成テーブルおよび／または前記物理接続グループの前記構成テーブルの変更をネゴシエートするためにさらに使用される、請求項３に記載の方法。
【請求項５】
各物理接続を介して送信されるオーバヘッドコードブロック内のM個のオーバヘッドコードブロックのすべてのフィールドが前記管理チャネルに使用され、Mは正の整数である、請求項１から４のいずれか一項に記載の方法。
【請求項６】
前記管理チャネルが、イーサネットパケットを使用して、前記タイムスロット構成テーブルの前記内容および／または前記物理接続グループの前記構成テーブルの前記内容を送信するために使用され、前記M個のオーバヘッドコードブロックの同期ヘッダは、前記イーサネットパケットの同期に使用される、請求項５に記載の方法。
【請求項７】
各物理接続を介して送信された前記オーバヘッドコードブロックのいくつかのフィールドが前記管理チャネルに使用される、請求項１から６のいずれか一項に記載の方法。
【請求項８】
前記管理チャネルが各物理接続の管理チャネルであり、前記物理接続グループ内の異なる物理接続が異なる管理チャネルに対応し、前記物理接続グループ内の任意の物理接続によって使用されるタイムスロット構成テーブルの内容および／または前記物理接続グループの前記構成テーブルの前記内容が、前記任意の物理接続に対応する管理チャネルを使用して送信される、請求項１から７のいずれか一項に記載の方法。
【請求項９】
前記管理チャネルが前記物理接続グループの管理チャネルであり、前記物理接続グループ内の前記複数の物理接続が前記物理接続グループの前記管理チャネルを共有し、前記複数の物理接続によって使用される前記タイムスロット構成テーブルの内容および／または前記物理接続グループの前記構成テーブルの前記内容が、前記物理接続グループの前記管理チャネルを使用して送信される、請求項１から７のいずれか一項に記載の方法。
【請求項１０】
フレキシブルイーサネットにおいてサービスストリームを送信するための方法であって、前記方法は、
物理接続グループを使用してデータストリームを受信するステップであって、前記物理接続グループは複数の物理接続を含み、少なくとも1つの仮想接続をサポートし、前記少なくとも1つの仮想接続内のターゲット仮想接続を使用してサービスストリームを送信し、前記複数の物理接続内の各物理接続を介して送信されるオーバヘッドコードブロックは、第1のフィールドを含み、前記第1のフィールドは、各物理接続によって使用されるタイムスロット構成テーブルの識別子を示し、各物理接続を介して送信される前記オーバヘッドコードブロックは、管理チャネルに使用されるフィールドをさらに含み、前記管理チャネルは、各物理接続によって使用される前記タイムスロット構成テーブルが変更されたときに、変更されたタイムスロット構成テーブルの内容を送信するために使用される、ステップと、
前記複数の物理接続の総帯域幅リソースから、前記複数の物理接続によって使用されるタイムスロット構成テーブルに従って、前記ターゲット仮想接続に属するタイムスロット帯域幅リソースを決定するステップであって、各物理接続によって使用される前記タイムスロット構成テーブルは、各物理接続の帯域幅リソースを分割して得られる各タイムスロット帯域幅リソースが属する仮想接続を示すために使用される、ステップと、
前記データストリームから、前記ターゲット仮想接続に属する前記タイムスロット帯域幅リソースに従って、前記ターゲット仮想接続を介して送信される前記サービスストリームを復元するステップと
を含む、方法。
【請求項１１】
前記管理チャネルが、前記物理接続グループの構成テーブルが変更されたときに、前記物理接続グループの変更された構成テーブルの内容を送信するためにさらに使用され、前記物理接続グループの前記構成テーブルは、前記物理接続グループ内の各物理接続の識別子および前記物理接続間のシーケンスを示すために使用される、請求項１０に記載の方法。
【請求項１２】
前記管理チャネルが、プロトコルパケットに基づいて、前記タイムスロット構成テーブルの前記内容および／または前記物理接続グループの前記構成テーブルの前記内容を送信するために使用される、請求項１０または１１に記載の方法。
【請求項１３】
前記管理チャネルが、前記プロトコルパケットに基づいて、前記タイムスロット構成テーブルおよび／または前記物理接続グループの前記構成テーブルの変更をネゴシエートするためにさらに使用される、請求項１２に記載の方法。
【請求項１４】
各物理接続を介して送信されるオーバヘッドコードブロック内のM個のオーバヘッドコードブロックのすべてのフィールドが前記管理チャネルに使用され、Mは正の整数である、請求項１０から１３のいずれか一項に記載の方法。
【請求項１５】
前記管理チャネルが、イーサネットパケットを使用して、前記タイムスロット構成テーブルの前記内容および／または前記物理接続グループの前記構成テーブルの前記内容を送信するために使用され、前記M個のオーバヘッドコードブロックの同期ヘッダは、前記イーサネットパケットの同期に使用される、請求項１４に記載の方法。
【請求項１６】
各物理接続を介して送信された前記オーバヘッドコードブロックのいくつかのフィールドが前記管理チャネルに使用される、請求項１０から１５のいずれか一項に記載の方法。
【請求項１７】
前記管理チャネルが各物理接続の管理チャネルであり、前記物理接続グループ内の異なる物理接続が異なる管理チャネルに対応し、前記物理接続グループ内の任意の物理接続によって使用されるタイムスロット構成テーブルの内容および／または前記物理接続グループの前記構成テーブルの前記内容が、前記任意の物理接続に対応する管理チャネルを使用して送信される、請求項１０から１６のいずれか一項に記載の方法。
【請求項１８】
前記管理チャネルが前記物理接続グループの管理チャネルであり、前記物理接続グループ内の前記複数の物理接続が前記物理接続グループの前記管理チャネルを共有し、前記複数の物理接続によって使用される前記タイムスロット構成テーブルの内容および／または前記物理接続グループの前記構成テーブルの前記内容が、前記物理接続グループの前記管理チャネルを使用して送信される、請求項１０から１６のいずれか一項に記載の方法。
【請求項１９】
送信対象のサービスストリームを取得するように構成された取得モジュールであって、前記サービスストリームは、送信側と受信側との間の物理接続グループによってサポートされるターゲット仮想接続を使用することによって送信されるべきであり、前記物理接続グループは、複数の物理接続を含み、少なくとも1つの仮想接続をサポートし、前記ターゲット仮想接続は、前記少なくとも1つの仮想接続のいずれか1つである、取得モジュールと、
前記複数の物理接続の総帯域幅リソースから、前記複数の物理接続によって使用されるタイムスロット構成テーブルに従って、前記ターゲット仮想接続に属するタイムスロット帯域幅リソースを決定するように構成された決定モジュールであって、各物理接続が使用するタイムスロット構成テーブルは、各物理接続の帯域幅リソースを分割して得られた各タイムスロット帯域幅リソースが属する仮想接続を示すために使用される、決定モジュールと、
前記ターゲット仮想接続に属する前記タイムスロット帯域幅リソースを使用して前記サービスストリームを前記受信側に送信するように構成された送信モジュールであって、各物理接続を介して送信されるオーバヘッドコードブロックは第1のフィールドを含み、前記第1のフィールドは各物理接続によって使用される前記タイムスロット構成テーブルの識別子を示し、各物理接続を介して送信される前記オーバヘッドコードブロックは、管理チャネルに使用されるフィールドをさらに含み、前記管理チャネルは、各物理接続によって使用される前記タイムスロット構成テーブルが変更されたときに、変更されたタイムスロット構成テーブルの内容を送信するために使用される、送信モジュールと
を備えた、送信機。
【請求項２０】
前記管理チャネルが、前記物理接続グループの構成テーブルが変更されたときに、前記物理接続グループの変更された構成テーブルの内容を送信するためにさらに使用され、前記物理接続グループの前記構成テーブルは、前記物理接続グループ内の各物理接続の識別子および前記物理接続間のシーケンスを示すために使用される、請求項１９に記載の送信機。
【請求項２１】
前記管理チャネルが、プロトコルパケットに基づいて、前記タイムスロット構成テーブルの前記内容および／または前記物理接続グループの前記構成テーブルの前記内容を送信するために使用される、請求項１９または２０に記載の送信機。
【請求項２２】
前記管理チャネルが、前記プロトコルパケットに基づいて、前記タイムスロット構成テーブルおよび／または前記物理接続グループの前記構成テーブルの変更をネゴシエートするためにさらに使用される、請求項２１に記載の送信機。
【請求項２３】
各物理接続を介して送信されるオーバヘッドコードブロック内のM個のオーバヘッドコードブロックのすべてのフィールドが前記管理チャネルに使用され、Mは正の整数である、請求項１９から２２のいずれか一項に記載の送信機。
【請求項２４】
前記管理チャネルが、イーサネットパケットを使用して、前記タイムスロット構成テーブルの前記内容および／または前記物理接続グループの前記構成テーブルの前記内容を送信するために使用され、前記M個のオーバヘッドコードブロックの同期ヘッダは、前記イーサネットパケットの同期に使用される、請求項２３に記載の送信機。
【請求項２５】
各物理接続を介して送信された前記オーバヘッドコードブロックのいくつかのフィールドが前記管理チャネルに使用される、請求項１９から２４のいずれか一項に記載の送信機。
【請求項２６】
前記管理チャネルが各物理接続の管理チャネルであり、前記物理接続グループ内の異なる物理接続が異なる管理チャネルに対応し、前記物理接続グループ内の任意の物理接続によって使用されるタイムスロット構成テーブルの内容および／または前記物理接続グループの前記構成テーブルの前記内容が、前記任意の物理接続に対応する管理チャネルを使用して送信される、請求項１９から２５のいずれか一項に記載の送信機。
【請求項２７】
前記管理チャネルが前記物理接続グループの管理チャネルであり、前記物理接続グループ内の前記複数の物理接続が前記物理接続グループの前記管理チャネルを共有し、前記複数の物理接続によって使用される前記タイムスロット構成テーブルの内容および／または前記物理接続グループの前記構成テーブルの前記内容が、前記物理接続グループの前記管理チャネルを使用して送信される、請求項１９から２５のいずれか一項に記載の送信機。
【請求項２８】
物理接続グループを使用してデータストリームを受信するように構成された受信モジュールであって、前記物理接続グループは複数の物理接続を含み、少なくとも1つの仮想接続をサポートし、前記少なくとも1つの仮想接続内のターゲット仮想接続を使用してサービスストリームを送信し、前記複数の物理接続内の各物理接続を介して送信されるオーバヘッドコードブロックは、第1のフィールドを含み、前記第1のフィールドは、各物理接続によって使用されるタイムスロット構成テーブルの識別子を示し、各物理接続を介して送信される前記オーバヘッドコードブロックは、管理チャネルに使用されるフィールドをさらに含み、前記管理チャネルは、各物理接続によって使用される前記タイムスロット構成テーブルが変更されたときに、変更されたタイムスロット構成テーブルの内容を送信するために使用される、受信モジュールと、
前記複数の物理接続の総帯域幅リソースから、前記複数の物理接続によって使用されるタイムスロット構成テーブルに従って、前記ターゲット仮想接続に属するタイムスロット帯域幅リソースを決定するように構成された決定モジュールであって、各物理接続によって使用される前記タイムスロット構成テーブルは、各物理接続の帯域幅リソースを分割して得られる各タイムスロット帯域幅リソースが属する仮想接続を示すために使用される、決定モジュールと、
前記データストリームから、前記ターゲット仮想接続に属する前記タイムスロット帯域幅リソースに従って、前記ターゲット仮想接続を介して送信される前記サービスストリームを復元するように構成された復元モジュールと
を備えた、受信機。
【請求項２９】
前記管理チャネルが、前記物理接続グループの構成テーブルが変更されたときに、前記物理接続グループの変更された構成テーブルの内容を送信するためにさらに使用され、前記物理接続グループの前記構成テーブルは、前記物理接続グループ内の各物理接続の識別子および前記物理接続間のシーケンスを示すために使用される、請求項２８に記載の受信機。
【請求項３０】
前記管理チャネルが、プロトコルパケットに基づいて、前記タイムスロット構成テーブルの前記内容および／または前記物理接続グループの前記構成テーブルの前記内容を送信するために使用される、請求項２８または２９に記載の受信機。
【請求項３１】
前記管理チャネルが、前記プロトコルパケットに基づいて、前記タイムスロット構成テーブルおよび／または前記物理接続グループの前記構成テーブルの変更をネゴシエートするためにさらに使用される、請求項３０に記載の受信機。
【請求項３２】
各物理接続を介して送信されるオーバヘッドコードブロック内のM個のオーバヘッドコードブロックのすべてのフィールドが前記管理チャネルに使用され、Mは正の整数である、請求項２８から３１のいずれか一項に記載の受信機。
【請求項３３】
前記管理チャネルが、イーサネットパケットを使用して、前記タイムスロット構成テーブルの前記内容および／または前記物理接続グループの前記構成テーブルの前記内容を送信するために使用され、前記M個のオーバヘッドコードブロックの同期ヘッダは、前記イーサネットパケットの同期に使用される、請求項３２に記載の受信機。
【請求項３４】
各物理接続を介して送信された前記オーバヘッドコードブロックのいくつかのフィールドが前記管理チャネルに使用される、請求項２８から３３のいずれか一項に記載の受信機。
【請求項３５】
前記管理チャネルが各物理接続の管理チャネルであり、前記物理接続グループ内の異なる物理接続が異なる管理チャネルに対応し、前記物理接続グループ内の任意の物理接続によって使用されるタイムスロット構成テーブルの内容および／または前記物理接続グループの前記構成テーブルの前記内容が、前記任意の物理接続に対応する管理チャネルを使用して送信される、請求項２８から３４のいずれか一項に記載の受信機。
【請求項３６】
前記管理チャネルが前記物理接続グループの管理チャネルであり、前記物理接続グループ内の前記複数の物理接続が前記物理接続グループの前記管理チャネルを共有し、前記複数の物理接続によって使用される前記タイムスロット構成テーブルの内容および／または前記物理接続グループの前記構成テーブルの前記内容が、前記物理接続グループの前記管理チャネルを使用して送信される、請求項２８から３４のいずれか一項に記載の受信機。
【発明の詳細な説明】
【技術分野】
【０００１】
本発明の実施形態は、イーサネット（登録商標、以下同じ）分野に関し、より詳細には、フレキシブルイーサネットにおいてサービスストリームを送信する方法および装置に関する。
【背景技術】
【０００２】
フレキシブルイーサネット（FlexEth）の概念の導入は、イーサネット物理接続の仮想化の実現可能な発展方向を提供する。FlexEthでは、1つまたは複数の物理接続がカスケード接続されて物理接続グループを構成し、帯域幅リソースプールを取得する。帯域幅リソースプールの総帯域幅リソースは、物理接続グループ内のすべての物理接続の帯域幅リソースの合計である。別の観点からは、物理接続グループを、送信側と受信側との間で実施される高速論理接続と見なすことができる。論理接続は、カスケード接続された物理インタフェース接続の総帯域幅を有する。FlexEthでは、物理接続グループの帯域幅リソースは、時分割によって複数のタイムスロットにさらに分割される。いくつかの仮想接続は、カスケード接続によってタイムスロットをバインドすることによってサポートされ、それによりイーサネットにおけるデータ送信のための強力な柔軟性の特性を提供する。
【０００３】
データは、データフレームをある期間として使用して、物理接続グループ内の各物理接続を介して送信される。1つのサブフレームが一例として使用される。サブフレームは、先頭部分にオーバヘッドコードブロックを含み、次に1024個の情報ブロックブロックグループが密接に続く。情報コードブロックの各グループは、通常、時分割で得られる20個のタイムスロットの帯域幅リソースにそれぞれ対応する20個のコードブロックを含む。物理接続グループによってサポートされる仮想接続を使用してサービスストリームを送信する場合、送信側および受信側は、物理接続グループ内の各物理接続によって使用されるタイムスロット構成テーブルに基づいて、仮想接続に属するタイムスロット帯域幅リソースを決定する必要があり、その後、タイムスロット帯域幅リソースを使用して、サービスストリームを受信側に送信する。従来技術では、物理接続のオーバヘッド領域に16ビットのClientフィールドが定義され、タイムスロット構成テーブルの内容を送信するために特別に使用され、受信側がサービスストリームを正しく復元できるようにしている。
【０００４】
しかし、物理接続によって使用されるタイムスロット構成テーブルは必ずしも変更されず、オーバヘッド領域内のタイムスロット構成テーブルに対して特別に定義されたフィールドで送信される情報は、反復された情報または望ましくない情報であってもよい。さらに、物理接続のタイムスロット構成テーブルは過度に大きく、従来技術では、完全なタイムスロット構成テーブルの内容を受信側に送信するために40の基本フレーム期間が必要である。したがって、送信効率は低い。
【発明の概要】
【０００５】
本発明の実施形態は、オーバヘッドリソースの浪費を回避するために、フレキシブルイーサネットにおいてサービスストリームを送信するための方法および装置を提供する。
【課題を解決するための手段】
【０００６】
第1の態様によれば、フレキシブルイーサネットにおいてサービスストリームを送信するための方法が提供され、この方法は、送信対象のサービスストリームを取得するステップであって、サービスストリームは、送信側と受信側との間の物理接続グループによってサポートされるターゲット仮想接続を使用することによって送信されるべきであり、物理接続グループは、複数の物理接続を含み、少なくとも1つの仮想接続をサポートし、ターゲット仮想接続は、少なくとも1つの仮想接続のいずれか1つである、ステップと、複数の物理接続の総帯域幅リソースから、複数の物理接続によって使用されるタイムスロット構成テーブルに従って、ターゲット仮想接続に属するタイムスロット帯域幅リソースを決定するステップであって、各物理接続が使用するタイムスロット構成テーブルは、各物理接続の帯域幅リソースを分割して得られた各タイムスロット帯域幅リソースが属する仮想接続を示すために使用される、ステップと、ターゲット仮想接続に属するタイムスロット帯域幅リソースを使用してサービスストリームを受信側に送信するステップであって、各物理接続を介して送信されるオーバヘッドコードブロックは第1のフィールドを含み、第1のフィールドは各物理接続によって使用されるタイムスロット構成テーブルの識別子を示し、各物理接続を介して送信されるオーバヘッドコードブロックは、管理チャネルに使用されるフィールドをさらに含み、管理チャネルは、各物理接続によって使用されるタイムスロット構成テーブルが変更されたときに、変更されたタイムスロット構成テーブルの内容を送信するために使用される、ステップと、を含む。
【０００７】
第1の態様を参照して、第1の態様の実装では、管理チャネルは、物理接続グループの構成テーブルが変更されたときに、物理接続グループの変更された構成テーブルの内容を送信するためにさらに使用され、物理接続グループの構成テーブルは、物理接続グループ内の各物理接続の識別子および物理接続間のシーケンスを示すために使用される。
【０００８】
第1の態様または第1の態様の前述の実装を参照して、第1の態様の別の実装では、管理チャネルは、プロトコルパケットに基づいて、タイムスロット構成テーブルの内容および／または物理接続グループの構成テーブルの内容を送信するために使用される。
【０００９】
第1の態様または第1の態様の前述の実装のいずれかを参照して、第1の態様の別の実装では、管理チャネルは、プロトコルパケットに基づいて、タイムスロット構成テーブルおよび／または物理接続グループの構成テーブルの変更をネゴシエートするためにさらに使用される。
【００１０】
第1の態様または第1の態様の前述の実装のいずれかを参照して、第1の態様の別の実装では、各物理接続を介して送信されるオーバヘッドコードブロックのM個のオーバヘッドコードブロックのすべてのフィールドが管理チャネルに使用され、Mは正の整数である。
【００１１】
第1の態様または第1の態様の前述の実装のいずれかを参照して、第1の態様の別の実装では、管理チャネルが、イーサネットパケットを使用して、タイムスロット構成テーブルの内容および／または物理接続グループの構成テーブルの内容を送信するために使用され、M個のオーバヘッドコードブロックの同期ヘッダは、イーサネットパケットの同期に使用される。
【００１２】
第1の態様または第1の態様の前述の実装のいずれかを参照して、第1の態様の別の実装では、各物理接続を介して送信されるオーバヘッドコードブロックのいくつかのフィールドが管理チャネルに使用される。
【００１３】
第1の態様または第1の態様の前述の実装のいずれかを参照して、第1の態様の別の実装では、管理チャネルが各物理接続の管理チャネルであり、物理接続グループ内の異なる物理接続が異なる管理チャネルに対応し、物理接続グループ内の任意の物理接続によって使用されるタイムスロット構成テーブルの内容および／または物理接続グループの構成テーブルの内容が、任意の物理接続に対応する管理チャネルを使用して送信される。
【００１４】
第1の態様または第1の態様の前述の実装のいずれかを参照して、第1の態様の別の実装では、管理チャネルが物理接続グループの管理チャネルであり、物理接続グループ内の複数の物理接続が物理接続グループの管理チャネルを共有し、複数の物理接続によって使用されるタイムスロット構成テーブルの内容および／または物理接続グループの構成テーブルの内容が、物理接続グループの管理チャネルを使用して送信される。
【００１５】
第2の態様によれば、フレキシブルイーサネットにおいてサービスストリームを送信するための方法が提供され、この方法は、物理接続グループを使用してデータストリームを受信するステップであって、物理接続グループは複数の物理接続を含み、少なくとも1つの仮想接続をサポートし、少なくとも1つの仮想接続内のターゲット仮想接続を使用してサービスストリームを送信し、複数の物理接続内の各物理接続を介して送信されるオーバヘッドコードブロックは、第1のフィールドを含み、第1のフィールドは、各物理接続によって使用されるタイムスロット構成テーブルの識別子を示し、各物理接続を介して送信されるオーバヘッドコードブロックは、管理チャネルに使用されるフィールドをさらに含み、管理チャネルは、各物理接続によって使用されるタイムスロット構成テーブルが変更されたときに、変更されたタイムスロット構成テーブルの内容を送信するために使用される、ステップと、複数の物理接続の総帯域幅リソースから、複数の物理接続によって使用されるタイムスロット構成テーブルに従って、ターゲット仮想接続に属するタイムスロット帯域幅リソースを決定するステップであって、各物理接続によって使用されるタイムスロット構成テーブルは、各物理接続の帯域幅リソースを分割して得られる各タイムスロット帯域幅リソースが属する仮想接続を示すために使用される、ステップと、データストリームから、ターゲット仮想接続に属するタイムスロット帯域幅リソースに従って、ターゲット仮想接続を介して送信されるサービスストリームを復元するステップと、を含む。
【００１６】
第2の態様を参照して、第2の態様の実装では、管理チャネルは、物理接続グループの構成テーブルが変更されたときに、物理接続グループの変更された構成テーブルの内容を送信するためにさらに使用され、物理接続グループの構成テーブルは、物理接続グループ内の各物理接続の識別子および物理接続間のシーケンスを示すために使用される。
【００１７】
第2の態様または第2の態様の前述の実装を参照して、第2の態様の別の実装では、管理チャネルは、プロトコルパケットに基づいて、タイムスロット構成テーブルの内容および／または物理接続グループの構成テーブルの内容を送信するために使用される。
【００１８】
第2の態様または第2の態様の前述の実装のいずれかを参照して、第2の態様の別の実装では、管理チャネルは、プロトコルパケットに基づいて、タイムスロット構成テーブルおよび／または物理接続グループの構成テーブルの変更をネゴシエートするためにさらに使用される。
【００１９】
第2の態様または第2の態様の前述の実装のいずれかを参照して、第2の態様の別の実装では、各物理接続を介して送信されるオーバヘッドコードブロックのM個のオーバヘッドコードブロックのすべてのフィールドが管理チャネルに使用され、Mは正の整数である。
【００２０】
第2の態様または第2の態様の前述の実装のいずれかを参照して、第2の態様の別の実装では、管理チャネルが、イーサネットパケットを使用して、タイムスロット構成テーブルの内容および／または物理接続グループの構成テーブルの内容を送信するために使用され、M個のオーバヘッドコードブロックの同期ヘッダは、イーサネットパケットの同期に使用される。
【００２１】
第2の態様または第2の態様の前述の実装のいずれかを参照して、第2の態様の別の実装では、各物理接続を介して送信されるオーバヘッドコードブロックのいくつかのフィールドが管理チャネルに使用される。
【００２２】
第2の態様または第2の態様の前述の実装のいずれかを参照して、第2の態様の別の実装では、管理チャネルが各物理接続の管理チャネルであり、物理接続グループ内の異なる物理接続が異なる管理チャネルに対応し、物理接続グループ内の任意の物理接続によって使用されるタイムスロット構成テーブルの内容および／または物理接続グループの構成テーブルの内容が、任意の物理接続に対応する管理チャネルを使用して送信される。
【００２３】
第2の態様または第2の態様の前述の実装のいずれかを参照して、第2の態様の別の実装では、管理チャネルが物理接続グループの管理チャネルであり、物理接続グループ内の複数の物理接続が物理接続グループの管理チャネルを共有し、複数の物理接続によって使用されるタイムスロット構成テーブルの内容および／または物理接続グループの構成テーブルの内容が、物理接続グループの管理チャネルを使用して送信される。
【００２４】
第3の態様によれば、送信機が提供され、この送信機は、送信対象のサービスストリームを取得するように構成された取得モジュールであって、サービスストリームは、送信側と受信側との間の物理接続グループによってサポートされるターゲット仮想接続を使用することによって送信されるべきであり、物理接続グループは、複数の物理接続を含み、少なくとも1つの仮想接続をサポートし、ターゲット仮想接続は、少なくとも1つの仮想接続のいずれか1つである、取得モジュールと、複数の物理接続の総帯域幅リソースから、複数の物理接続によって使用されるタイムスロット構成テーブルに従って、ターゲット仮想接続に属するタイムスロット帯域幅リソースを決定するように構成された決定モジュールであって、各物理接続が使用するタイムスロット構成テーブルは、各物理接続の帯域幅リソースを分割して得られた各タイムスロット帯域幅リソースが属する仮想接続を示すために使用される、決定モジュールと、ターゲット仮想接続に属するタイムスロット帯域幅リソースを使用してサービスストリームを受信側に送信するように構成された送信モジュールであって、各物理接続を介して送信されるオーバヘッドコードブロックは第1のフィールドを含み、第1のフィールドは各物理接続によって使用されるタイムスロット構成テーブルの識別子を示し、各物理接続を介して送信されるオーバヘッドコードブロックは、管理チャネルに使用されるフィールドをさらに含み、管理チャネルは、各物理接続によって使用されるタイムスロット構成テーブルが変更されたときに、変更されたタイムスロット構成テーブルの内容を送信するために使用される、送信モジュールと、を含む。
【００２５】
第3の態様を参照して、第3の態様の実装では、管理チャネルは、物理接続グループの構成テーブルが変更されたときに、物理接続グループの変更された構成テーブルの内容を送信するためにさらに使用され、物理接続グループの構成テーブルは、物理接続グループ内の各物理接続の識別子および物理接続間のシーケンスを示すために使用される。
【００２６】
第3の態様または第3の態様の前述の実装を参照して、第3の態様の別の実装では、管理チャネルは、プロトコルパケットに基づいて、タイムスロット構成テーブルの内容および／または物理接続グループの構成テーブルの内容を送信するために使用される。
【００２７】
第3の態様または第3の態様の前述の実装のいずれかを参照して、第3の態様の別の実装では、管理チャネルは、プロトコルパケットに基づいて、タイムスロット構成テーブルおよび／または物理接続グループの構成テーブルの変更をネゴシエートするためにさらに使用される。
【００２８】
第3の態様または第3の態様の前述の実装のいずれかを参照して、第3の態様の別の実装では、各物理接続を介して送信されるオーバヘッドコードブロックのM個のオーバヘッドコードブロックのすべてのフィールドが管理チャネルに使用され、Mは正の整数である。
【００２９】
第3の態様または第3の態様の前述の実装のいずれかを参照して、第3の態様の別の実装では、管理チャネルが、イーサネットパケットを使用して、タイムスロット構成テーブルの内容および／または物理接続グループの構成テーブルの内容を送信するために使用され、M個のオーバヘッドコードブロックの同期ヘッダは、イーサネットパケットの同期に使用される。
【００３０】
第3の態様または第3の態様の前述の実装のいずれかを参照して、第3の態様の別の実装では、各物理接続を介して送信されるオーバヘッドコードブロックのいくつかのフィールドが管理チャネルに使用される。
【００３１】
第3の態様または第3の態様の前述の実装のいずれかを参照して、第3の態様の別の実装では、管理チャネルが各物理接続の管理チャネルであり、物理接続グループ内の異なる物理接続が異なる管理チャネルに対応し、物理接続グループ内の任意の物理接続によって使用されるタイムスロット構成テーブルの内容および／または物理接続グループの構成テーブルの内容が、任意の物理接続に対応する管理チャネルを使用して送信される。
【００３２】
第3の態様または第3の態様の前述の実装のいずれかを参照して、第3の態様の別の実装では、管理チャネルが物理接続グループの管理チャネルであり、物理接続グループ内の複数の物理接続が物理接続グループの管理チャネルを共有し、複数の物理接続によって使用されるタイムスロット構成テーブルの内容および／または物理接続グループの構成テーブルの内容が、物理接続グループの管理チャネルを使用して送信される。
【００３３】
第4の態様によれば、受信機が提供され、この受信機は、物理接続グループを使用してデータストリームを受信するように構成された受信モジュールであって、物理接続グループは複数の物理接続を含み、少なくとも1つの仮想接続をサポートし、少なくとも1つの仮想接続内のターゲット仮想接続を使用してサービスストリームを送信し、複数の物理接続内の各物理接続を介して送信されるオーバヘッドコードブロックは、第1のフィールドを含み、第1のフィールドは、各物理接続によって使用されるタイムスロット構成テーブルの識別子を示し、各物理接続を介して送信されるオーバヘッドコードブロックは、管理チャネルに使用されるフィールドをさらに含み、管理チャネルは、各物理接続によって使用されるタイムスロット構成テーブルが変更されたときに、変更されたタイムスロット構成テーブルの内容を送信するために使用される、受信モジュールと、複数の物理接続の総帯域幅リソースから、複数の物理接続によって使用されるタイムスロット構成テーブルに従って、ターゲット仮想接続に属するタイムスロット帯域幅リソースを決定するように構成された決定モジュールであって、各物理接続によって使用されるタイムスロット構成テーブルは、各物理接続の帯域幅リソースを分割して得られる各タイムスロット帯域幅リソースが属する仮想接続を示すために使用される、決定モジュールと、データストリームから、ターゲット仮想接続に属するタイムスロット帯域幅リソースに従って、ターゲット仮想接続を介して送信されるサービスストリームを復元するように構成された復元モジュールと、を含む。
【００３４】
第4の態様を参照して、第4の態様の実装では、管理チャネルは、物理接続グループの構成テーブルが変更されたときに、物理接続グループの変更された構成テーブルの内容を送信するためにさらに使用され、物理接続グループの構成テーブルは、物理接続グループ内の各物理接続の識別子および物理接続間のシーケンスを示すために使用される。
【００３５】
第4の態様または第4の態様の前述の実装を参照して、第4の態様の別の実装では、管理チャネルは、プロトコルパケットに基づいて、タイムスロット構成テーブルの内容および／または物理接続グループの構成テーブルの内容を送信するために使用される。
【００３６】
第4の態様または第4の態様の前述の実装のいずれかを参照して、第4の態様の別の実装では、管理チャネルは、プロトコルパケットに基づいて、タイムスロット構成テーブルおよび／または物理接続グループの構成テーブルの変更をネゴシエートするためにさらに使用される。
【００３７】
第4の態様または第4の態様の前述の実装のいずれかを参照して、第4の態様の別の実装では、各物理接続を介して送信されるオーバヘッドコードブロックのM個のオーバヘッドコードブロックのすべてのフィールドが管理チャネルに使用され、Mは正の整数である。
【００３８】
第4の態様または第4の態様の前述の実装のいずれかを参照して、第4の態様の別の実装では、管理チャネルが、イーサネットパケットを使用して、タイムスロット構成テーブルの内容および／または物理接続グループの構成テーブルの内容を送信するために使用され、M個のオーバヘッドコードブロックの同期ヘッダは、イーサネットパケットの同期に使用される。
【００３９】
第4の態様または第4の態様の前述の実装のいずれかを参照して、第4の態様の別の実装では、各物理接続を介して送信されるオーバヘッドコードブロックのいくつかのフィールドが管理チャネルに使用される。
【００４０】
第4の態様または第4の態様の前述の実装のいずれかを参照して、第4の態様の別の実装では、管理チャネルが各物理接続の管理チャネルであり、物理接続グループ内の異なる物理接続が異なる管理チャネルに対応し、物理接続グループ内の任意の物理接続によって使用されるタイムスロット構成テーブルの内容および／または物理接続グループの構成テーブルの内容が、任意の物理接続に対応する管理チャネルを使用して送信される。
【００４１】
第4の態様または第4の態様の前述の実装のいずれかを参照して、第4の態様の別の実装では、管理チャネルが物理接続グループの管理チャネルであり、物理接続グループ内の複数の物理接続が物理接続グループの管理チャネルを共有し、複数の物理接続によって使用されるタイムスロット構成テーブルの内容および／または物理接続グループの構成テーブルの内容が、物理接続グループの管理チャネルを使用して送信される。
【００４２】
オーバヘッド領域のほとんどのフィールドは、管理チャネルに使用されるフィールドまたは管理チャネルによって占有されるフィールドである。ただし、これらのフィールドは完全には使用されない。本発明の実施形態では、各物理接続のオーバヘッドコードブロックに第1のフィールドが定義される。第1のフィールドは、現時点の物理接続によって使用されるタイムスロット構成テーブルの識別子を示し、タイムスロット構成テーブルが変更されたときに、管理チャネルを使用して変更されたタイムスロット構成テーブルの内容を受信側に送信するために使用される。すなわち、オーバヘッド領域内のタイムスロット構成テーブルの識別子についてのみ特定のフィールドを定義する必要があり、管理チャネルを介してタイムスロット構成テーブルの内容を送信する。これにより、オーバヘッドリソースの無駄を効果的に削減し、高い柔軟性を提供する。
【００４３】
より明確に本発明の実施形態における技術的解決策を説明するために、本発明の実施形態を説明するために必要な添付の図面を以下に簡単に説明する。明らかに、以下の説明において添付の図面は、本発明のいくつかの実施形態を単に示しており、当業者は、創造的な取り組みをすることなく、これらの添付図面から他の図面をさらに導き出すことが可能である。
【図面の簡単な説明】
【００４４】
【図１】フレキシブルイーサネットにおけるデータフレーム構造の概略図である。
【図２】従来技術の基本フレーム期間におけるオーバヘッドコードブロックによって形成されるオーバヘッド領域の概略図である。
【図３】本発明の一実施形態によるフレキシブルイーサネットにおいてサービスストリームを送信するための方法の概略フローチャートである。
【図４】本発明の一実施形態によるフレキシブルイーサネットにおいてサービスストリームを送信するための方法の概略フローチャートである。
【図５】本発明の一実施形態による送信機の概略構成図である。
【図６】本発明の一実施形態による受信機の概略構成図である。
【図７】本発明の一実施形態による送信機の概略構成図である。
【図８】本発明の一実施形態による受信機の概略構成図である。
【図９】本発明の一実施形態によるフレキシブルイーサネットにおいてデータストリームを送信するための方法の概略フローチャートである。
【図１０】本発明の一実施形態によるフレキシブルイーサネットにおいてサービスストリームを送信するための方法の概略フローチャートである。
【図１１】本発明の一実施形態による送信機の概略構成図である。
【図１２】本発明の一実施形態による受信機の概略構成図である。
【図１３】本発明の一実施形態による送信機の概略構成図である。
【図１４】本発明の一実施形態による受信機の概略構成図である。
【発明を実施するための形態】
【００４５】
本発明の実施形態における技術的解決策を、本発明の実施形態における添付図面を参照して、明確かつ完全に以下に説明する。明らかに、説明される実施形態は、本発明の実施形態のすべてではなく、一部である。創造的な取り組みをすることなく、本発明の実施形態に基づいて当業者によって得られる他のすべての実施形態は、本発明の保護範囲内に含まれるものとする。
【００４６】
理解を容易にするために、従来技術をまず簡単に説明する。
【００４７】
図1は、フレキシブルイーサネットにおけるデータフレーム構造を示している。図1において、1つのサブフレーム期間において、FlexEthにおけるオーバヘッド（Overhead）コードブロックの後に、64×66b構造を有する20480個の情報コードブロックのような、64×66b構造を有するいくつかの情報コードブロックが続く。いくつかの連続したサブフレーム期間（通常は4つのサブフレーム）が1つの基本フレーム（BasicFrame）を構成する。いくつかの連続した基本フレーム（通常は40の基本フレーム）が1つのスーパーフレーム（SupperFrame）を構成する。
【００４８】
図2は、1つの基本フレーム期間においてオーバヘッドコードブロックによって形成されるオーバヘッド領域である。1つの基本フレームは通常4つのサブフレームを含み、各サブフレームのヘッダは1つのオーバヘッドコードブロックを含み、合計4つのオーバヘッドコードブロックが存在する。FlexEthでは、1つのオーバヘッドコードブロックは通常66ビットを含み、4つのオーバヘッドコードブロックの4×66ビットが共同して図2に示すオーバヘッド領域210を構成する。従来技術では、オーバヘッド領域は、物理接続のタイムスロット構成テーブルの内容を送信するために使用される。表1Aは、従来技術におけるオーバヘッド領域210を示している。
【００４９】
【表１】
0006484386.tif 000002
【００５０】
【表２】
0006484386.tif 000003
【００５１】
表1Aは、物理接続のオーバヘッド領域を示している。従来技術では、物理接続グループ内の各物理接続のオーバヘッド領域は、表1に示されているオーバヘッド領域と同じである。表1Aにおいて、PHY Mapフィールドは、物理接続グループの構成テーブルの内容を送信するために使用され；This PHYは、現時点の物理接続の識別子であり；FlexE Group Numberは、現時点の物理接続が属する物理接続グループの識別子であり、Clientフィールドは、現時点の物理接続によって使用されるタイムスロット構成テーブルの内容を送信するために使用される。確かに、他の目的のために使用されるいくつかのフィールド、例えば同期ヘッダフィールドSHが表1にさらに含まれる。表1Aで識別された特定のフィールド以外の残りのすべての空フィールドは、管理チャネルに使用されるか、管理チャネルによって占有される。表1Aからわかるように、オーバヘッド領域210の大部分（18オクテット）が管理チャネルに使用される。
【００５２】
従来技術では、各物理接続の帯域幅リソースは、通常、20タイムスロットの帯域幅リソースに分割される。送信側および受信側は、通常、2つのタイムスロット構成テーブル、すなわち、Calendar AおよびCalendar Bで構成されている。従来技術では、これらの2つのテーブルの内容がClientフィールドを介して送信される必要があり、送信方法を表1Bに示す。
【００５３】
【表３】
0006484386.tif 000004
【００５４】
表1Bにおいて、第1行の0と1は、オーバヘッド領域210内のPCフィールドの値である。PCフィールドは、現時点の物理接続によって現在使用されているテーブル、すなわちCalendar AまたはCalendar Bを示すために使用され得る。表2に示すように、Calendar Aに対応するフィールドPCはすべて0であり、Calendar Bに対応するフィールドPCはすべて1である。これは、現時点の物理接続では、現在Calendar AではなくCalendar Bが使用されていることを示す。さらに、各基本フレーム期間は、1つのタイムスロットリソースが属する仮想接続のみを示すことができ、各タイムスロット構成テーブルは、物理接続に対応する20タイムスロットのリソースが属する仮想接続を示す。したがって、完全なCalendar AおよびCalendar Bを送信するためには、少なくとも40の基本フレーム期間が必要であり、効率は極めて低い。さらに、Calendar AまたはCalendar Bのいずれかが使用されておらず、不要な情報を送信するためにオーバヘッドリソースが浪費されるのと同じである。
【００５５】
オーバヘッドリソースの無駄を避けるために、本発明の実施形態は、フレキシブルイーサネットにおいてサービスストリームを送信するための方法を提供する。詳細は、図3を参照して以下に説明する。
【００５６】
図3は、本発明の一実施形態によるフレキシブルイーサネットにおいてサービスストリームを送信するための方法の概略フローチャートである。図3の方法を、送信側で実行することができる。方法は、以下のステップを含む。
【００５７】
310．送信対象のサービスストリームを取得し、ここで、サービスストリームは、送信側と受信側との間の物理接続グループによってサポートされるターゲット仮想接続を使用することによって送信されるべきであり、物理接続グループは、複数の物理接続を含み、少なくとも1つの仮想接続をサポートし、ターゲット仮想接続は、少なくとも1つの仮想接続のいずれか1つである。
【００５８】
前述の物理接続グループは、送信側と受信側との間の論理接続と見なされてもよく、論理接続の帯域幅は、物理接続グループ内のすべての物理接続の帯域幅の合計であってもよいことを理解されたい。
【００５９】
フレキシブルイーサネットでは、物理接続グループの総帯域幅リソースが、物理接続グループ内の時分割で得られた複数のタイムスロットの帯域幅リソースに分割され、仮想接続をサポートすることがさらに理解されるべきである。具体的には、物理接続グループ内の物理接続の帯域幅リソースを複数のタイムスロット帯域幅リソースに分割することができる。異なるタイムスロット帯域幅リソースは、同一または異なる仮想接続に属することができ、同じ仮想接続に属するタイムスロット帯域幅リソースは、同じサービスストリームを送信するために使用される。物理接続グループは、1つまたは複数の仮想接続をサポートしてもよく、異なるサービスストリーム（または異なるクライアントのサービスストリーム）が異なる仮想接続を介して送信されてもよい。
【００６０】
320．複数の物理接続の総帯域幅リソースから、複数の物理接続によって使用されるタイムスロット構成テーブルに従って、ターゲット仮想接続に属するタイムスロット帯域幅リソースを決定し、ここで、各物理接続によって使用されるタイムスロット構成テーブルは、各物理接続の帯域幅リソースを分割して得られる各タイムスロットリソースが属する仮想接続を示すために使用される。
【００６１】
各物理接続によって使用されるタイムスロット構成テーブルは、物理接続の各タイムスロット帯域幅リソースと物理接続グループによってサポートされる仮想接続との間の対応を記録するために使用されてもよいことを理解されたい。1つのタイムスロット帯域幅リソースは、1つの仮想接続に対応し、異なるタイムスロット帯域幅リソースは、同じまたは異なる仮想接続に対応することができる。
【００６２】
330．ターゲット仮想接続に属するタイムスロット帯域幅リソースを使用してサービスストリームを受信側に送信し、ここで、各物理接続を介して送信されるオーバヘッドコードブロックは第1のフィールドを含み、第1のフィールドは各物理接続によって使用されるタイムスロット構成テーブルの識別子を示し、各物理接続を介して送信されるオーバヘッドコードブロックは、管理チャネルに使用されるフィールドをさらに含み、管理チャネルは、各物理接続によって使用されるタイムスロット構成テーブルが変更されたときに、変更されたタイムスロット構成テーブルの内容を送信するために使用される。
【００６３】
各物理接続を介して送信されるオーバヘッドコードブロックが、管理チャネルに使用されるフィールドをさらに含むことが、各物理接続を介して送信されるオーバヘッドコードブロックが、管理チャネルによって占有されるフィールドをさらに含むことであるとされてもよいことが理解されるべきである。管理チャネルは、オーバヘッドコードブロックのフィールドを複数の方法で占有してもよい。例えば、管理チャネルは、オーバヘッドコードブロックのいくつかのフィールドを占有してもよく、またはいくつかのオーバヘッドコードブロックのすべてのフィールド（同期ヘッダを含む）を占有してもよく、すなわち、管理チャネルはオーバヘッドコードブロック全体を占有する。確かに、代替的に、2つの方法の組み合わせが使用されてもよい。これは、本発明のこの実施形態において特に限定されない。説明のために例を使用する。4個の連続するオーバヘッドコードブロックにおいて、管理チャネルは、第1のオーバヘッドコードブロックのフィールドを占有せず、最後の3つのオーバヘッドコードブロックのいくつかのフィールドを占有する。代替的に20個の連続したオーバヘッドコードブロックにおいて、管理チャネルは最初の3個のオーバヘッドコードブロックのいずれのフィールドも占有せず、最後の17個のオーバヘッドコードブロックのすべてのフィールドを占有し、すなわち最後の17個のオーバヘッドコードブロックを占有する。
【００６４】
各物理接続によって使用されるタイムスロット構成テーブルの変更は、具体的には、各物理接続のタイムスロット構成テーブルの内容の更新を示すことができ、または各物理接続が新しいタイムスロット構成テーブルを使用して、古いタイムスロット構成テーブルを置き換えることを示すことができる。
【００６５】
前述の第1のフィールドは、各物理接続によって使用されるタイムスロット構成テーブルの識別子を示すために特別に定義されるフィールドであってもよい。例えば、タイムスロット構成テーブルの識別子を、Slot Configuration Table IDを使用して示すことができる。送信側および受信側は、タイムスロット構成テーブルの識別子を使用することによって、タイムスロット構成テーブルを一意に識別することができる。
【００６６】
具体的には、物理接続グループ内のすべての物理接続のタイムスロット構成テーブルを区別するために、タイムスロット構成テーブルの十分な識別子を事前に構成することができる。物理接続グループ内のある物理接続の識別子の長さが8ビットであることが一例として使用される。1つの物理接続グループには、最大256の物理接続が含まれてもよい。0x00、0xFFなどのn個のラベルは予約ラベルとして使用され、他の目的のために使用されると仮定する。この場合、物理接続グループは、最大256−n個の物理接続を含むことができる。物理接続グループ内の物理接続によって使用されるタイムスロット構成テーブルは、同じであっても異なっていてもよい。同じタイムスロット構成テーブルの場合、同じタイムスロット構成テーブル識別子を使用することができる。一般に、極端な場合には、使用されているタイムスロット構成テーブルの256−n個の識別子が、使用されている256−n個のタイムスロット構成テーブルを識別するために必要となることがある。すなわち、各物理接続によって1つのタイムスロット構成テーブルが使用される。この場合、タイムスロット構成テーブル識別子は、新しいタイムスロット構成テーブルに対して利用可能ではない。したがって、いくつかの予約識別子がさらに必要とされる。例えば、タイムスロット構成テーブルの識別子＝0x00もしくは0xFFまたはその両方が予約識別子として使用される。他のタイムスロット構成テーブルが利用可能でなく、タイムスロット構成テーブルを更新する必要がある場合、タイムスロット構成テーブルの更新をネゴシエートするプロセスが開始され、更新が完了した後に、通常のタイムスロット構成テーブルの予約識別子以外の識別子にスイッチバックされる前に、物理接続のタイムスロット構成テーブルの識別子を一時的に予約識別子に切り替えることができる。代替的にタイムスロット構成テーブルの識別子＝0〜255が等しく扱われる。したがって、いずれの場合でも、256−n個の物理接続は、タイムスロット構成テーブルの256個の識別子のすべてを使用することはできず、すなわち、タイムスロット構成テーブルの識別子の少なくとも1つが利用可能である。新しいテーブルが物理接続によって使用された後、元のテーブルが廃止され得、物理接続のタイムスロット構成テーブルの識別子が使用のために検索され得る。さらに、より簡単な方法、すなわち、Slot Configuration Table IDのフィールド長を例えば9ビットに拡張することがある。9ビットを使用して512個のテーブルを区別することができる。確かに、代替的に、物理接続によって使用されるタイムスロット構成テーブルの識別子は変更されなくてもよく、物理接続グループによって使用されるタイムスロット構成テーブルの内容のみが更新される。これは、本発明のこの実施形態において特に限定されない。
【００６７】
オーバヘッド領域のほとんどのフィールドは、管理チャネルに使用されるフィールドまたは管理チャネルによって占有されるフィールドである。ただし、これらのフィールドは完全には使用されない。本発明のこの実施形態では、各物理接続のオーバヘッドコードブロックに第1のフィールドが定義される。第1のフィールドは、現時点の物理接続によって使用されるタイムスロット構成テーブルの識別子を示し、タイムスロット構成テーブルが変更されたときに、管理チャネルを使用して変更されたタイムスロット構成テーブルの内容を受信側に送信するために使用される。すなわち、オーバヘッド領域内のタイムスロット構成テーブルの識別子についてのみ特定のフィールドを定義する必要があり、管理チャネルを介してタイムスロット構成テーブルの内容を送信する。これにより、オーバヘッドリソースの無駄を効果的に削減し、高い柔軟性を提供する。
【００６８】
任意選択で、一実施形態では、各物理接続を介して送信されるM個のオーバヘッドコードブロックは、管理チャネルのためにすべて使用されてもよい。表2は、以下の説明のための例として使用される。表2は、本発明の一実施形態によるオーバヘッド領域の定義方法を示している。
【００６９】
【表４】
0006484386.tif 000005
【００７０】
【表５】
0006484386.tif 000006
【００７１】
表2において、This Phy ID Labelは現時点の物理接続の識別子であり、Next Phy ID Labelは物理接続グループにおける現時点の物理接続の次の物理接続の識別子であり、Slot Configuration Table IDはタイムスロット構成テーブル識別子である。表2に対応する実施形態では、エラーを回避するために、タイムスロット構成テーブルの識別子が3回送信される。3回送信され、受信側で受信されたタイムスロット構成テーブルの識別子が不一致の場合、受信した識別子の中で最大の識別子が好ましい。確かに、代替的に、タイムスロット構成テーブルの識別子は1回だけ送信されてもよいし、タイムスロット構成テーブルの識別子が複数回送信されてもよい。これは、本発明のこの実施形態において特に限定されない。さらに、表2に対応する実施形態では、タイムスロット構成テーブルの識別子の正確な送信をさらに確実にするために、オーバヘッド領域にCRCチェックのための特定のフィールドが定義される。確かに、代替的に、フィールドは実際の状況では定義されていなくてもよい。表2では、管理チャネルは、最初の3つのオーバヘッドコードブロックの後に、少なくとも1つのオーバヘッドコードブロック（同期ヘッダを含む）を占有する。すなわち、少なくとも1つのオーバヘッドコードブロックのすべてのフィールドが管理チャネルに使用される。確かに、代替的に、管理チャネルは、いくつかのオーバヘッドコードブロックの一部のフィールドのみを占有してもよいし、いくつかのオーバヘッドコードブロックの一部のフィールドを占有し、かつ他のオーバヘッドコードブロックのすべてのフィールドを占有してもよい。これは、本発明のこの実施形態において特に限定されない。
【００７２】
任意選択で、一実施形態では、各物理接続を介して送信されるオーバヘッドコードブロックのいくつかのフィールドが、管理チャネルに使用される。表3Aおよび表3Bは、以下の説明のための例として使用される。表3Aのオーバヘッド領域は、1つの基本フレーム内の4つのオーバヘッドコードブロックによって形成されるオーバヘッド領域である。
【００７３】
【表６】
0006484386.tif 000007
【００７４】
【表７】
0006484386.tif 000008
【００７５】
表3Aに対応する実施形態では、1つの基本フレーム期間内の第2のオーバヘッドコードブロックのビット16〜23が第1のフィールドとして定義され、タイムスロット構成テーブルの識別子、すなわち表3AのSlot Configuration Table IDを送信するために使用される。他の識別されていない領域は管理チャネルに属し、管理チャネルのいくつかの領域はタイムスロット構成テーブルの内容を送信するために使用されてもよい。
【００７６】
【表８】
0006484386.tif 000009
【００７７】
【表９】
0006484386.tif 000010
【００７８】
表3Bでは、識別されていない領域のすべてまたは一部を管理チャネルに使用することができる。例えば、管理チャネルに使用されるフィールドは、第2のオーバヘッドコードブロックのEフィールド、Calendar slot ＃（ID）フィールド、ABフィールド、およびClientフィールドと；第3のオーバヘッドコードブロックのEフィールド、Calendar slot ＃（ID）フィールド、ABフィールド、およびClientフィールドとを含む。第2のオーバヘッドコードブロックの上記4つのフィールドは1つの管理チャネルを構成し、第3のオーバヘッドコードブロックの上記4つのフィールドは別の管理チャネルを構成する。いずれの管理チャネルも小さなメッセージ（マイクロパケット）を持つことができ、メッセージは空のメッセージでも空でないメッセージでもよい。管理チャネルは、タイムスロット構成テーブルの内容などを送信するために使用されてもよい。管理チャネルのメッセージフォーマットは次の通りである。
【００７９】
【表１０】
0006484386.tif 000011
【００８０】
Eは、メッセージが空のメッセージであるか空でないメッセージであるかを識別するために使用される。E＝0はメッセージが空のメッセージであることを示し、E＝1はメッセージが空でないメッセージであることを示す。さらに、空でないメッセージは、タイムスロット構成テーブルAまたはタイムスロット構成テーブルBに、タイムスロット帯域幅リソースが属する仮想接続の識別子、すなわち、上の表のClient IDを送信するために使用される。
【００８１】
ABフィールドは、メッセージ内の仮想接続の識別子が、Calendar Aの識別子またはCalendar Bの識別子であることを示す。Calendar slot ＃（ID）フィールドは、現時点の物理接続内でメッセージ内の仮想接続の識別子が対応するタイムスロット帯域幅リソースを示す。Client IDフィールドは、タイムスロット帯域幅リソースが属する仮想接続の識別子を示す。物理接続のタイムスロット構成テーブルが変更されると、管理チャネルに使用される前述のいくつかのフィールドを使用して、変更されたタイムスロット構成テーブルを示すことができる。またはタイムスロット構成テーブルが更新されない場合、フィールドは空または他の特殊フィールドとして設定されてもよく、タイムスロット構成テーブルの情報を送信するためには使用されない。管理チャネルに使用される前述のいくつかのフィールドは、いくつかのフィールドを含む決定されたコードブロックの決定された位置に基づいて、パケットの開始位置および終了位置を識別するために使用される。これは、管理チャネルを介したタイムスロット構成テーブルの内容の送信が、マイクロパケットを使用することによって達成されることと同等である。オーバヘッド領域内のC1〜C9は、9個のタイムスロット帯域幅リソースによって使用されるタイムスロット構成テーブルに対応する。C1は、タイムスロット帯域幅リソース1によって使用されるタイムスロット構成テーブルがCalendar AまたはCalendar Bであることを示すために使用される。すなわち、タイムスロット帯域幅リソースは、タイムスロット構成テーブル内の仮想リンクに属する。
【００８２】
任意選択で、一実施形態では、管理チャネルは、プロトコルパケットに基づいて、タイムスロット構成テーブルの内容および／または物理接続グループの構成テーブルの内容を送信するために使用される。
【００８３】
プロトコルパケットは、イーサネットパケット、高レベルデータリンク制御（High−Level Data Link Control，HDLC）パケット、またはポイントツーポイント（Point to Point，PPP）パケットを含む。
【００８４】
任意選択で、一実施形態では、管理チャネルは、プロトコルパケットに基づいてタイムスロット構成テーブルの変更をネゴシエートするためにさらに使用される。
【００８５】
管理チャネルが、プロトコルパケットに基づいてタイムスロット構成テーブルの変更をネゴシエートするためにさらに使用されることは、具体的には以下の通りであり得ることを理解されたい：タイムスロット構成テーブルが変更されると、送信側は管理チャネルを介して要求パケットを送信し、要求パケットは変更されたタイムスロット構成テーブルの内容を搬送する；および、送信側は、受信側から応答パケットを受信し、応答パケットは、受信側に、タイムスロット構成テーブルの変更を決定するよう指示するために使用される。代替的に、送信側は、受信側から応答パケットを受信し、応答パケットは、受信側に、タイムスロット構成テーブルの変更を拒否するよう指示するために使用される。この場合、送信側は、受信側からの肯定応答が受信される前に、要求パケットを再度送信してもよい。
【００８６】
表4は、管理チャネルを介して送信されるプロトコルパケットのフォーマットを示している。Client ID Label for Slot 0は、現時点の物理接続のタイムスロット0が属する仮想接続の識別子を示すために使用される。同様に、Client ID Label for Slot mは、現時点の物理接続のタイムスロットmが属する仮想接続の識別子を示すために使用される。また、パケットには、パケットの開始位置と終了位置を示すために使用されるフィールド、CRCチェックフィールドなどがさらに付加されていてもよい。これは、本発明のこの実施形態において特に限定されない。
【００８７】
【表１１】
0006484386.tif 000012
【００８８】
表5は、管理チャネルを介して送信されるプロトコルパケットの別のフォーマットを示している。フィールドCRCは、ビットエラー動作を回避するために、CRCチェックのために使用される。さらに、アイドルオクテット（Idle Octets）がパケットの2つの端に追加され、パケットの開始位置と終了位置を識別する。アイドルオクテットの例は0x55である。符号化が実行されると、表示ビット＝1は、表示ビットがパケット間のアイドルオクテットであることを示すために追加されてもよい。例えば、別の有効なパケットオクテットが符号化される場合には、パケットの開始、継続、および終了を識別するための表示ビット＝1が追加される。Message Type＝0x01を使用して、パケットのタイプがタイムスロット構成テーブルの変更を示すために使用されるパケットであることを示すことができる。Message Length＝m＋4を使用して、パケットの長さを示すことができる。
【００８９】
【表１２】
0006484386.tif 000013
【００９０】
パケットを受信した後、受信側は、肯定応答パケットまたは否定応答パケットで応答することができる。肯定応答パケットおよび否定応答パケットを、フィールドMessage Typeを使用することによって識別することができる。肯定応答パケットのMessage Typeの値は0x02であってもよく、否定応答パケットのMessage Typeの値は0x03であってもよい。なお、上記パケットのフィールドMessage Lengthは任意であり、搬送されない場合がある。
【００９１】
なお、受信側および送信側は、タイムスロット構成テーブルの変更をネゴシエートし、変更されていないタイムスロット構成テーブルに基づいて、現時点の期間のサービスストリームがまだ受信または送信されることに同意することができる。新たに設定されたタイムスロット構成テーブルの内容は、現時点のフレーム期間内に受信側に送信される。受信側が変更されたタイムスロット構成テーブルを受信した後、現時点のフレーム期間に続く次のまたはnフレーム期間（特定の時間は送信側および受信側によってネゴシエートされ得る）において、送信側および受信側は、ネゴシエーションによって決定された変更されたタイムスロット構成テーブルに従ってサービスストリームを受信して送信する。特定のプロセスについては、表6を参照されたい。
【００９２】
【表１３】
0006484386.tif 000014
【００９３】
表6から、1つの基本フレーム期間においてタイムスロット構成テーブルが変更されても、次の基本フレーム期間が到着する前に、現時点の基本フレーム期間のサービスストリームが、変更されていないタイムスロット構成テーブルに基づいて依然として受信または送信されることがわかる。
【００９４】
任意選択で、一実施形態では、各物理接続を介して送信されるオーバヘッドコードブロック内のM個のオーバヘッドコードブロックのすべてのフィールドが管理チャネルに使用され、Mは正の整数である。
【００９５】
すなわち、M個のコードブロックは管理チャネルに使用されるか、管理チャネルはM個のコードブロックの同期ヘッダを含むM個のコードブロックを占有する。
【００９６】
任意選択で、一実施形態では、管理チャネルは、イーサネットパケットを使用してタイムスロット構成テーブルの内容を送信するために使用され、M個のオーバヘッドコードブロックの同期ヘッダが、イーサネットパケットの同期に使用される。
【００９７】
確かに、代替的に、管理チャネルは、HDLCパケットまたはPPPパケットなどの別のプロトコルのパケットを使用してもよい。そのようなパケットの同期は、別のプロトコルの特定の同期方法を使用することによって実行されてもよい。
【００９８】
任意選択で、一実施形態では、管理チャネルが各物理接続の管理チャネルであり、物理接続グループ内の異なる物理接続が異なる管理チャネルに対応し、物理接続グループ内の任意の物理接続によって使用されるタイムスロット構成テーブルの内容が、任意の物理接続に対応する管理チャネルを使用して送信される。
【００９９】
具体的には、代替的に、各物理接続の管理チャネルを、各物理接続の分離管理チャネルと呼ぶことがある。すなわち、1つの管理チャネルは、1つの物理接続のみの関連情報を送信するために使用される。
【０１００】
任意選択で、一実施形態では、管理チャネルが物理接続グループの管理チャネルであり、物理接続グループ内の複数の物理接続が物理接続グループの管理チャネルを共有し、複数の物理接続によって使用されるタイムスロット構成テーブルの内容が、物理接続グループの管理チャネルを使用して送信される。
【０１０１】
具体的には、代替的に、物理接続グループの管理チャネルを、複数の物理接続で集約（またはカスケード接続）された管理チャネルと呼ぶことがある。つまり、1つの管理チャネルを使用して、物理接続グループ全体のすべての物理接続の関連情報を送信する。
【０１０２】
なお、以下の説明では、タイムスロット構成テーブルの識別子と送信方式を例として使用している。物理接続グループの構成テーブルも同様に送信することができる。例えば、物理接続グループの構成テーブルの内容が管理チャネルを介して送信され、物理接続グループの構成テーブルの識別子がオーバヘッド領域に特別に定義されたフィールドを用いて送信される。物理接続グループの構成テーブルを送信するために使用される管理チャネルは、各物理接続に対応する管理チャネルであってもよいし、物理接続グループに対応する管理チャネルであってもよい。さらに、管理チャネルは、プロトコルパケットに基づいて物理接続グループの構成テーブルの内容を送信するために使用され、プロトコルパケットに基づいて構成テーブルをネゴシエートおよび更新するために使用されてもよい。本発明のこの実施形態では、詳細は説明しない。
【０１０３】
以上、図3を参照して、本発明の一実施形態によるフレキシブルイーサネットにおけるサービスストリームを送信する方法を送信側の観点から詳細に説明した。以下、図4を参照して、本発明の一実施形態によるフレキシブルイーサネットにおけるサービスストリームを送信する方法を受信側の観点から詳細に説明する。
【０１０４】
送信側の観点から説明した送信側および受信側の相互作用、関連する特性および関連する機能は、受信側の観点から説明したものに対応することを理解されたい。簡潔にするために、繰り返しの説明は適宜省略する。
【０１０５】
図4は、本発明の一実施形態によるフレキシブルイーサネットにおいてサービスストリームを送信するための方法の概略フローチャートである。図4の方法を、受信側によって実行することができる。方法は、以下のステップを含む。
【０１０６】
410．物理接続グループを使用してデータストリームを受信し、ここで、物理接続グループは複数の物理接続を含み、少なくとも1つの仮想接続をサポートし、少なくとも1つの仮想接続内のターゲット仮想接続を使用してサービスストリームを送信し、複数の物理接続内の各物理接続を介して送信されるオーバヘッドコードブロックは、第1のフィールドを含み、第1のフィールドは、各物理接続によって使用されるタイムスロット構成テーブルの識別子を示し、各物理接続を介して送信されるオーバヘッドコードブロックは、管理チャネルに使用されるフィールドをさらに含み、管理チャネルは、各物理接続によって使用されるタイムスロット構成テーブルが変更されたときに、変更されたタイムスロット構成テーブルの内容を送信するために使用される。
【０１０７】
420．複数の物理接続の総帯域幅リソースから、複数の物理接続によって使用されるタイムスロット構成テーブルに従って、ターゲット仮想接続に属するタイムスロット帯域幅リソースを決定し、ここで、各物理接続によって使用されるタイムスロット構成テーブルは、各物理接続の帯域幅リソースを分割して得られる各タイムスロット帯域幅リソースが属する仮想接続を示すために使用される。
【０１０８】
430．データストリームから、ターゲット仮想接続に属するタイムスロット帯域幅リソースに従って、ターゲット仮想接続を介して送信されたサービスストリームを復元する。
【０１０９】
オーバヘッド領域のほとんどのフィールドは、管理チャネルに使用されるフィールドまたは管理チャネルによって占有されるフィールドである。ただし、これらのフィールドは完全には使用されない。本発明のこの実施形態では、各物理接続のオーバヘッドコードブロックに第1のフィールドが定義される。第1のフィールドは、現時点の物理接続によって使用されるタイムスロット構成テーブルの識別子を示し、タイムスロット構成テーブルが変更されたときに、管理チャネルを使用して変更されたタイムスロット構成テーブルの内容を受信側に送信するために使用される。すなわち、オーバヘッド領域内のタイムスロット構成テーブルの識別子についてのみ特定のフィールドを定義する必要があり、管理チャネルを介してタイムスロット構成テーブルの内容を送信する。これにより、オーバヘッドリソースの無駄を効果的に削減し、高い柔軟性を提供する。
【０１１０】
任意選択で、一実施形態では、管理チャネルは、物理接続グループの構成テーブルが変更されたときに、物理接続グループの変更された構成テーブルの内容を送信するためにさらに使用され、物理接続グループの構成テーブルは、物理接続グループ内の各物理接続の識別子および物理接続間のシーケンスを示すために使用される。
【０１１１】
任意選択で、一実施形態では、管理チャネルは、プロトコルパケットに基づいて、タイムスロット構成テーブルの内容および／または物理接続グループの構成テーブルの内容を送信するために使用される。
【０１１２】
任意選択で、一実施形態では、管理チャネルは、プロトコルパケットに基づいて、タイムスロット構成テーブルおよび／または物理接続グループの構成テーブルの変更をネゴシエートするためにさらに使用される。
【０１１３】
任意選択で、一実施形態では、各物理接続を介して送信されるオーバヘッドコードブロック内のM個のオーバヘッドコードブロックのすべてのフィールドが管理チャネルに使用され、Mは正の整数である。
【０１１４】
任意選択で、一実施形態では、管理チャネルが、イーサネットパケットを使用して、タイムスロット構成テーブルの内容および／または物理接続グループの構成テーブルの内容を送信するために使用され、M個のオーバヘッドコードブロックの同期ヘッダは、イーサネットパケットの同期に使用される。
【０１１５】
任意選択で、一実施形態では、管理チャネルが各物理接続の管理チャネルであり、物理接続グループ内の異なる物理接続が異なる管理チャネルに対応し、物理接続グループ内の任意の物理接続によって使用されるタイムスロット構成テーブルの内容および／または物理接続グループの構成テーブルの内容が、任意の物理接続に対応する管理チャネルを使用して送信される。
【０１１６】
任意選択で、一実施形態では、管理チャネルが物理接続グループの管理チャネルであり、物理接続グループ内の複数の物理接続が物理接続グループの管理チャネルを共有し、複数の物理接続によって使用されるタイムスロット構成テーブルの内容および／または物理接続グループの構成テーブルの内容が、物理接続グループの管理チャネルを使用して送信される。
【０１１７】
以上、図1〜図4を参照して、本発明の一実施形態によるフレキシブルイーサネットにおいてサービスストリームを送信するための方法を詳細に説明した。以下、図5〜図8Aを参照して、本発明の実施形態による送信機および受信機について詳細に説明する。
【０１１８】
図5は、本発明の一実施形態による送信機の概略構成図である。図5の送信機500は、図3の送信側によって実行されるステップを実装することができることを理解されたい。繰り返しを避けるために、詳細はここでは説明しない。送信機500は、
送信対象のサービスストリームを取得するように構成された取得モジュール510であって、サービスストリームは、送信側と受信側との間の物理接続グループによってサポートされるターゲット仮想接続を使用することによって送信されるべきであり、物理接続グループは、複数の物理接続を含み、少なくとも1つの仮想接続をサポートし、ターゲット仮想接続は、少なくとも1つの仮想接続のいずれか1つである、取得モジュール510と、
複数の物理接続の総帯域幅リソースから、複数の物理接続によって使用されるタイムスロット構成テーブルに従って、ターゲット仮想接続に属するタイムスロット帯域幅リソースを決定するように構成された決定モジュール520であって、各物理接続が使用するタイムスロット構成テーブルは、各物理接続の帯域幅リソースを分割して得られた各タイムスロット帯域幅リソースが属する仮想接続を示すために使用される、決定モジュール520と、
ターゲット仮想接続に属するタイムスロット帯域幅リソースを使用してサービスストリームを受信側に送信するように構成された送信モジュール530であって、各物理接続を介して送信されるオーバヘッドコードブロックは第1のフィールドを含み、第1のフィールドは各物理接続によって使用されるタイムスロット構成テーブルの識別子を示し、各物理接続を介して送信されるオーバヘッドコードブロックは、管理チャネルに使用されるフィールドをさらに含み、管理チャネルは、各物理接続によって使用されるタイムスロット構成テーブルが変更されたときに、変更されたタイムスロット構成テーブルの内容を送信するために使用される、送信モジュール530と
を含む。
【０１１９】
オーバヘッド領域のほとんどのフィールドは、管理チャネルに使用されるフィールドであるか、または管理チャネルによって占有される。ただし、これらのフィールドは完全には使用されない。本発明のこの実施形態では、各物理接続のオーバヘッドコードブロックに第1のフィールドが定義される。第1のフィールドは、現時点の物理接続によって使用されるタイムスロット構成テーブルの識別子を示し、タイムスロット構成テーブルが変更されたときに、管理チャネルを使用して変更されたタイムスロット構成テーブルの内容を受信側に送信するために使用される。すなわち、オーバヘッド領域内のタイムスロット構成テーブルの識別子についてのみ特定のフィールドを定義する必要があり、管理チャネルを介してタイムスロット構成テーブルの内容を送信する。これにより、オーバヘッドリソースの無駄を効果的に削減し、高い柔軟性を提供する。
【０１２０】
任意選択で、一実施形態では、管理チャネルは、物理接続グループの構成テーブルが変更されたときに、物理接続グループの変更された構成テーブルの内容を送信するためにさらに使用され、物理接続グループの構成テーブルは、物理接続グループ内の各物理接続の識別子および物理接続間のシーケンスを示すために使用される。
【０１２１】
任意選択で、一実施形態では、管理チャネルは、プロトコルパケットに基づいて、タイムスロット構成テーブルの内容および／または物理接続グループの構成テーブルの内容を送信するために使用される。
【０１２２】
任意選択で、一実施形態では、管理チャネルは、プロトコルパケットに基づいて、タイムスロット構成テーブルおよび／または物理接続グループの構成テーブルの変更をネゴシエートするためにさらに使用される。
【０１２３】
任意選択で、一実施形態では、各物理接続を介して送信されるオーバヘッドコードブロック内のM個のオーバヘッドコードブロックのすべてのフィールドが管理チャネルに使用され、Mは正の整数である。
【０１２４】
任意選択で、一実施形態では、管理チャネルが、イーサネットパケットを使用して、タイムスロット構成テーブルの内容および／または物理接続グループの構成テーブルの内容を送信するために使用され、M個のオーバヘッドコードブロックの同期ヘッダは、イーサネットパケットの同期に使用される。
【０１２５】
任意選択で、一実施形態では、各物理接続を介して送信されるオーバヘッドコードブロックのいくつかのフィールドが、管理チャネルに使用される。
【０１２６】
任意選択で、一実施形態では、管理チャネルが各物理接続の管理チャネルであり、物理接続グループ内の異なる物理接続が異なる管理チャネルに対応し、物理接続グループ内の任意の物理接続によって使用されるタイムスロット構成テーブルの内容および／または物理接続グループの構成テーブルの内容が、任意の物理接続に対応する管理チャネルを使用して送信される。
【０１２７】
任意選択で、一実施形態では、管理チャネルが物理接続グループの管理チャネルであり、物理接続グループ内の複数の物理接続が物理接続グループの管理チャネルを共有し、複数の物理接続によって使用されるタイムスロット構成テーブルの内容および／または物理接続グループの構成テーブルの内容が、物理接続グループの管理チャネルを使用して送信される。
【０１２８】
図6は、本発明の一実施形態による受信機の概略構成図である。図6の受信機600は、図4の受信側によって実行されるステップを実装することができることを理解されたい。繰り返しを避けるために、詳細はここでは説明しない。受信機600は、
物理接続グループを使用してデータストリームを受信するように構成された受信モジュール610であって、物理接続グループは複数の物理接続を含み、少なくとも1つの仮想接続をサポートし、少なくとも1つの仮想接続内のターゲット仮想接続を使用してサービスストリームを送信し、複数の物理接続内の各物理接続を介して送信されるオーバヘッドコードブロックは、第1のフィールドを含み、第1のフィールドは、各物理接続によって使用されるタイムスロット構成テーブルの識別子を示し、各物理接続を介して送信されるオーバヘッドコードブロックは、管理チャネルに使用されるフィールドをさらに含み、管理チャネルは、各物理接続によって使用されるタイムスロット構成テーブルが変更されたときに、変更されたタイムスロット構成テーブルの内容を送信するために使用される、受信モジュール610と、
複数の物理接続の総帯域幅リソースから、複数の物理接続によって使用されるタイムスロット構成テーブルに従って、ターゲット仮想接続に属するタイムスロット帯域幅リソースを決定するように構成された決定モジュール620であって、各物理接続によって使用されるタイムスロット構成テーブルは、各物理接続の帯域幅リソースを分割して得られる各タイムスロット帯域幅リソースが属する仮想接続を示すために使用される、決定モジュール620と、
データストリームから、ターゲット仮想接続に属するタイムスロット帯域幅リソースに従って、ターゲット仮想接続を介して送信されるサービスストリームを復元するように構成された復元モジュール630と
を含む。
【０１２９】
オーバヘッド領域の大部分は管理チャネルに使用されるか、または管理チャネルで占有される。ただし、オーバヘッド領域のこの部分は完全には使用されない。本発明のこの実施形態では、各物理接続のオーバヘッドコードブロックに第1のフィールドが定義される。第1のフィールドは、現時点の物理接続によって使用されるタイムスロット構成テーブルの識別子を示し、タイムスロット構成テーブルが変更されたときに、管理チャネルを使用して変更されたタイムスロット構成テーブルの内容を受信側に送信するために使用される。すなわち、オーバヘッド領域内のタイムスロット構成テーブルの識別子についてのみ特定のフィールドを定義する必要があり、管理チャネルを介してタイムスロット構成テーブルの内容を送信する。これにより、オーバヘッドリソースの無駄を効果的に削減し、高い柔軟性を提供する。
【０１３０】
任意選択で、一実施形態では、管理チャネルは、物理接続グループの構成テーブルが変更されたときに、物理接続グループの変更された構成テーブルの内容を送信するためにさらに使用され、物理接続グループの構成テーブルは、物理接続グループ内の各物理接続の識別子および物理接続間のシーケンスを示すために使用される。
【０１３１】
任意選択で、一実施形態では、管理チャネルは、プロトコルパケットに基づいて、タイムスロット構成テーブルの内容および／または物理接続グループの構成テーブルの内容を送信するために使用される。
【０１３２】
任意選択で、一実施形態では、管理チャネルは、プロトコルパケットに基づいて、タイムスロット構成テーブルおよび／または物理接続グループの構成テーブルの変更をネゴシエートするためにさらに使用される。
【０１３３】
任意選択で、一実施形態では、各物理接続を介して送信されるオーバヘッドコードブロック内のM個のオーバヘッドコードブロックのすべてのフィールドが管理チャネルに使用され、Mは正の整数である。
【０１３４】
任意選択で、一実施形態では、管理チャネルが、イーサネットパケットを使用して、タイムスロット構成テーブルの内容および／または物理接続グループの構成テーブルの内容を送信するために使用され、M個のオーバヘッドコードブロックの同期ヘッダは、イーサネットパケットの同期に使用される。
【０１３５】
任意選択で、一実施形態では、各物理接続を介して送信されるオーバヘッドコードブロックのいくつかのフィールドが、管理チャネルに使用される。
【０１３６】
任意選択で、一実施形態では、管理チャネルが各物理接続の管理チャネルであり、物理接続グループ内の異なる物理接続が異なる管理チャネルに対応し、物理接続グループ内の任意の物理接続によって使用されるタイムスロット構成テーブルの内容および／または物理接続グループの構成テーブルの内容が、任意の物理接続に対応する管理チャネルを使用して送信される。
【０１３７】
任意選択で、一実施形態では、管理チャネルが物理接続グループの管理チャネルであり、物理接続グループ内の複数の物理接続が物理接続グループの管理チャネルを共有し、複数の物理接続によって使用されるタイムスロット構成テーブルの内容および／または物理接続グループの構成テーブルの内容が、物理接続グループの管理チャネルを使用して送信される。
【０１３８】
図7は、本発明の一実施形態による送信機の概略構成図である。図7の送信機700は、図3の送信側によって実行されるステップを実装することができることを理解されたい。繰り返しを避けるために、詳細はここでは説明しない。図7の送信機700は、
プログラムを格納するように構成されたメモリ710と、
プログラムを実行するように構成されたプロセッサ720であって、プログラムが実行されると、送信対象のサービスストリームを取得し、サービスストリームは、送信側と受信側との間の物理接続グループによってサポートされるターゲット仮想接続を使用することによって送信されるべきであり、物理接続グループは、複数の物理接続を含み、少なくとも1つの仮想接続をサポートし、ターゲット仮想接続は、少なくとも1つの仮想接続のいずれか1つであり；複数の物理接続の総帯域幅リソースから、複数の物理接続によって使用されるタイムスロット構成テーブルに従って、ターゲット仮想接続に属するタイムスロット帯域幅リソースを決定し、各物理接続が使用するタイムスロット構成テーブルは、各物理接続の帯域幅リソースを分割して得られた各タイムスロット帯域幅リソースが属する仮想接続を示すために使用され；ターゲット仮想接続に属するタイムスロット帯域幅リソースを使用してサービスストリームを受信側に送信し、各物理接続を介して送信されるオーバヘッドコードブロックは第1のフィールドを含み、第1のフィールドは各物理接続によって使用されるタイムスロット構成テーブルの識別子を示し、各物理接続を介して送信されるオーバヘッドコードブロックは、管理チャネルに使用されるフィールドをさらに含み、管理チャネルは、各物理接続によって使用されるタイムスロット構成テーブルが変更されたときに、変更されたタイムスロット構成テーブルの内容を送信するために使用される、ように特に構成されたプロセッサ720と
を含む。
【０１３９】
オーバヘッド領域のほとんどのフィールドは、管理チャネルに使用されるフィールドであるか、または管理チャネルによって占有される。ただし、これらのフィールドは完全には使用されない。本発明のこの実施形態では、各物理接続のオーバヘッドコードブロックに第1のフィールドが定義される。第1のフィールドは、現時点の物理接続によって使用されるタイムスロット構成テーブルの識別子を示し、タイムスロット構成テーブルが変更されたときに、管理チャネルを使用して変更されたタイムスロット構成テーブルの内容を受信側に送信するために使用される。すなわち、オーバヘッド領域内のタイムスロット構成テーブルの識別子についてのみ特定のフィールドを定義する必要があり、管理チャネルを介してタイムスロット構成テーブルの内容を送信する。これにより、オーバヘッドリソースの無駄を効果的に削減し、高い柔軟性を提供する。
【０１４０】
任意選択で、一実施形態では、管理チャネルは、物理接続グループの構成テーブルが変更されたときに、物理接続グループの変更された構成テーブルの内容を送信するためにさらに使用され、物理接続グループの構成テーブルは、物理接続グループ内の各物理接続の識別子および物理接続間のシーケンスを示すために使用される。
【０１４１】
任意選択で、一実施形態では、管理チャネルは、プロトコルパケットに基づいて、タイムスロット構成テーブルの内容および／または物理接続グループの構成テーブルの内容を送信するために使用される。
【０１４２】
任意選択で、一実施形態では、管理チャネルは、プロトコルパケットに基づいて、タイムスロット構成テーブルおよび／または物理接続グループの構成テーブルの変更をネゴシエートするためにさらに使用される。
【０１４３】
任意選択で、一実施形態では、各物理接続を介して送信されるオーバヘッドコードブロック内のM個のオーバヘッドコードブロックのすべてのフィールドが管理チャネルに使用され、Mは正の整数である。
【０１４４】
任意選択で、一実施形態では、管理チャネルが、イーサネットパケットを使用して、タイムスロット構成テーブルの内容および／または物理接続グループの構成テーブルの内容を送信するために使用され、M個のオーバヘッドコードブロックの同期ヘッダは、イーサネットパケットの同期に使用される。
【０１４５】
任意選択で、一実施形態では、各物理接続を介して送信されるオーバヘッドコードブロックのいくつかのフィールドが、管理チャネルに使用される。
【０１４６】
任意選択で、一実施形態では、管理チャネルが各物理接続の管理チャネルであり、物理接続グループ内の異なる物理接続が異なる管理チャネルに対応し、物理接続グループ内の任意の物理接続によって使用されるタイムスロット構成テーブルの内容および／または物理接続グループの構成テーブルの内容が、任意の物理接続に対応する管理チャネルを使用して送信される。
【０１４７】
任意選択で、一実施形態では、管理チャネルが物理接続グループの管理チャネルであり、物理接続グループ内の複数の物理接続が物理接続グループの管理チャネルを共有し、複数の物理接続によって使用されるタイムスロット構成テーブルの内容および／または物理接続グループの構成テーブルの内容が、物理接続グループの管理チャネルを使用して送信される。
【０１４８】
図8は、本発明の一実施形態による受信機の概略構成図である。図8の受信機800は、
プログラムを格納するように構成されたメモリ810と、
プログラムを実行するように構成されたプロセッサ820であって、プログラムが実行されると、物理接続グループを使用してデータストリームを受信し、物理接続グループは複数の物理接続を含み、少なくとも1つの仮想接続をサポートし、少なくとも1つの仮想接続内のターゲット仮想接続を使用してサービスストリームを送信し、複数の物理接続内の各物理接続を介して送信されるオーバヘッドコードブロックは、第1のフィールドを含み、第1のフィールドは、各物理接続によって使用されるタイムスロット構成テーブルの識別子を示し、各物理接続を介して送信されるオーバヘッドコードブロックは、管理チャネルに使用されるフィールドをさらに含み、管理チャネルは、各物理接続によって使用されるタイムスロット構成テーブルが変更されたときに、変更されたタイムスロット構成テーブルの内容を送信し；複数の物理接続の総帯域幅リソースから、複数の物理接続によって使用されるタイムスロット構成テーブルに従って、ターゲット仮想接続に属するタイムスロット帯域幅リソースを決定し、各物理接続によって使用されるタイムスロット構成テーブルは、各物理接続の帯域幅リソースを分割して得られる各タイムスロット帯域幅リソースが属する仮想接続を示すために使用され；データストリームから、ターゲット仮想接続に属するタイムスロット帯域幅リソースに従って、ターゲット仮想接続を介して送信されるサービスストリームを復元する、ように特に構成されたプロセッサ820と
を含む。
【０１４９】
オーバヘッド領域のほとんどのフィールドは、管理チャネルに使用されるフィールドであるか、または管理チャネルによって占有される。ただし、これらのフィールドは完全には使用されない。本発明のこの実施形態では、各物理接続のオーバヘッドコードブロックに第1のフィールドが定義される。第1のフィールドは、現時点の物理接続によって使用されるタイムスロット構成テーブルの識別子を示し、タイムスロット構成テーブルが変更されたときに、管理チャネルを使用して変更されたタイムスロット構成テーブルの内容を受信側に送信するために使用される。すなわち、オーバヘッド領域内のタイムスロット構成テーブルの識別子についてのみ特定のフィールドを定義する必要があり、管理チャネルを介してタイムスロット構成テーブルの内容を送信する。これにより、オーバヘッドリソースの無駄を効果的に削減し、高い柔軟性を提供する。
【０１５０】
任意選択で、一実施形態では、管理チャネルは、物理接続グループの構成テーブルが変更されたときに、物理接続グループの変更された構成テーブルの内容を送信するためにさらに使用され、物理接続グループの構成テーブルは、物理接続グループ内の各物理接続の識別子および物理接続間のシーケンスを示すために使用される。
【０１５１】
任意選択で、一実施形態では、管理チャネルは、プロトコルパケットに基づいて、タイムスロット構成テーブルの内容および／または物理接続グループの構成テーブルの内容を送信するために使用される。
【０１５２】
任意選択で、一実施形態では、管理チャネルは、プロトコルパケットに基づいて、タイムスロット構成テーブルおよび／または物理接続グループの構成テーブルの変更をネゴシエートするためにさらに使用される。
【０１５３】
任意選択で、一実施形態では、各物理接続を介して送信されるオーバヘッドコードブロック内のM個のオーバヘッドコードブロックのすべてのフィールドが管理チャネルに使用され、Mは正の整数である。
【０１５４】
任意選択で、一実施形態では、管理チャネルが、イーサネットパケットを使用して、タイムスロット構成テーブルの内容および／または物理接続グループの構成テーブルの内容を送信するために使用され、M個のオーバヘッドコードブロックの同期ヘッダは、イーサネットパケットの同期に使用される。
【０１５５】
任意選択で、一実施形態では、各物理接続を介して送信されるオーバヘッドコードブロックのいくつかのフィールドが、管理チャネルに使用される。
【０１５６】
任意選択で、一実施形態では、管理チャネルが各物理接続の管理チャネルであり、物理接続グループ内の異なる物理接続が異なる管理チャネルに対応し、物理接続グループ内の任意の物理接続によって使用されるタイムスロット構成テーブルの内容および／または物理接続グループの構成テーブルの内容が、任意の物理接続に対応する管理チャネルを使用して送信される。
【０１５７】
任意選択で、一実施形態では、管理チャネルが物理接続グループの管理チャネルであり、物理接続グループ内の複数の物理接続が物理接続グループの管理チャネルを共有し、複数の物理接続によって使用されるタイムスロット構成テーブルの内容および／または物理接続グループの構成テーブルの内容が、物理接続グループの管理チャネルを使用して送信される。
【０１５８】
以下、図9を参照して、本発明の他の実施形態を説明する。
【０１５９】
図9は、本発明の一実施形態によるフレキシブルイーサネットにおいてデータストリームを送信するための方法の概略フローチャートである。図9の方法を、送信側で実行することができる。方法は、以下のステップを含む。
【０１６０】
910．送信対象のサービスストリームを取得し、ここで、サービスストリームは、送信側と受信側との間の物理接続グループによってサポートされるターゲット仮想接続を使用することによって送信されるべきであり、物理接続グループは、複数の物理接続を含み、少なくとも1つの仮想接続をサポートし、ターゲット仮想接続は、少なくとも1つの仮想接続のいずれか1つである。
【０１６１】
920．複数の物理接続の総帯域幅リソースから、複数の物理接続によって使用されるタイムスロット構成テーブルに従って、ターゲット仮想接続に属するタイムスロット帯域幅リソースを決定し、ここで、各物理接続によって使用されるタイムスロット構成テーブルは、各物理接続の帯域幅リソースを分割して得られる各タイムスロット帯域幅リソースが属する仮想接続を示すために使用される。
【０１６２】
930．ターゲット仮想接続に属するタイムスロット帯域幅リソースを使用して受信側にサービスストリームを送信し、ここで、各物理接続を介して送信されるオーバヘッドコードブロック内のタイムスロットリソース構成タイムスロット構成テーブルの内容を識別するために使用されるフィールドは各物理接続によって現在使用されているタイムスロットリソース構成タイムスロット構成テーブルのみを送信するために使用される。
【０１６３】
従来技術では、送信側は、各タイムスロットリソース構成タイムスロット構成テーブルの内容を受信側に送信し、現在使用されているテーブルをオーバヘッド領域に示す。そのため、大量の冗長な情報（例えば、現時点の物理接続で使用されていないタイムスロット構成テーブルの内容を送信する必要がない）が送信される。ただし、本発明のこの実施形態では、オーバヘッド領域において現時点の物理接続で使用されるタイムスロット構成テーブルの内容のみが送信されるので、送信効率が向上し、オーバヘッドリソースの浪費が回避される。
【０１６４】
図10は、本発明の一実施形態によるフレキシブルイーサネットにおいてサービスストリームを送信するための方法の概略フローチャートである。図10の方法を、受信側で実行することができる。方法は、以下のステップを含む。
【０１６５】
1010．物理接続グループを使用してデータストリームを受信し、ここで、物理接続グループは複数の物理接続を含み、少なくとも1つの仮想接続をサポートし、少なくとも1つの仮想接続のターゲット仮想接続を使用してサービスストリームを送信し、複数の物理接続内の各物理接続を介して送信されるオーバヘッドコードブロック内のタイムスロットリソース構成タイムスロット構成テーブルの内容を識別するために使用されるフィールドは、各物理接続によって現在使用されているタイムスロットリソース構成タイムスロット構成テーブルのみを送信するために使用される。
【０１６６】
1020．複数の物理接続の総帯域幅リソースから、複数の物理接続によって使用されるタイムスロット構成テーブルに従って、ターゲット仮想接続に属するタイムスロット帯域幅リソースを決定し、ここで、各物理接続によって使用されるタイムスロット構成テーブルは、各物理接続の帯域幅リソースを分割して得られる各タイムスロット帯域幅リソースが属する仮想接続を示すために使用される。
【０１６７】
1030．データストリームから、ターゲット仮想接続に属するタイムスロット帯域幅リソースに従って、ターゲット仮想接続を介して送信されたサービスストリームを復元する。
【０１６８】
従来技術では、送信側は各タイムスロット構成テーブルの内容を受信側に送信し、現在使用されているテーブルをオーバヘッド領域に示す。そのため、大量の冗長な情報（例えば、現時点の物理接続で使用されていないタイムスロット構成テーブルの内容を送信する必要がない）が送信される。ただし、本発明のこの実施形態では、オーバヘッド領域において現時点の物理接続で使用されるタイムスロット構成テーブルの内容のみが送信されるので、送信効率が向上し、オーバヘッドリソースの浪費が回避される。
【０１６９】
図11は、本発明の一実施形態による送信機の概略構成図である。図11の送信機1100は、図9の送信側によって実行されるステップを実装することができることを理解されたい。繰り返しを避けるために、詳細はここでは説明しない。図11の送信機1100は、
送信対象のサービスストリームを取得するように構成された取得モジュール1110であって、サービスストリームは、送信側と受信側との間の物理接続グループによってサポートされるターゲット仮想接続を使用することによって送信されるべきであり、物理接続グループは、複数の物理接続を含み、少なくとも1つの仮想接続をサポートし、ターゲット仮想接続は、少なくとも1つの仮想接続のいずれか1つである、取得モジュール1110と、
複数の物理接続の総帯域幅リソースから、複数の物理接続によって使用されるタイムスロット構成テーブルに従って、ターゲット仮想接続に属するタイムスロット帯域幅リソースを決定するように構成された決定モジュール1120であって、各物理接続が使用するタイムスロット構成テーブルは、各物理接続の帯域幅リソースを分割して得られた各タイムスロット帯域幅リソースが属する仮想接続を示すために使用される、決定モジュール1120と、
ターゲット仮想接続に属するタイムスロット帯域幅リソースを使用してサービスストリームを受信側に送信するように構成された送信モジュール1130であって、各物理接続を介して送信されるオーバヘッドコードブロック内のタイムスロットリソース構成タイムスロット構成テーブルの内容を識別するために使用されるフィールドは、各物理接続によって現在使用されているタイムスロットリソース構成タイムスロット構成テーブルのみを送信するために使用される、送信モジュール1130と
を含む。
【０１７０】
従来技術では、送信側は、各タイムスロットリソース構成タイムスロット構成テーブルの内容を受信側に送信し、現在使用されているテーブルをオーバヘッド領域に示す。そのため、大量の冗長な情報（例えば、現時点の物理接続で使用されていないタイムスロット構成テーブルの内容を送信する必要がない）が送信される。ただし、本発明のこの実施形態では、オーバヘッド領域において現時点の物理接続で使用されるタイムスロット構成テーブルの内容のみが送信されるので、送信効率が向上し、オーバヘッドリソースの浪費が回避される。
【０１７１】
図12は、本発明の一実施形態による受信機の概略構成図である。図12の受信機1200は、図10の受信側によって実行されるステップを実装することができることを理解されたい。繰り返しを避けるために、詳細はここでは説明しない。図12の受信機1200は、
物理接続グループを使用してデータストリームを受信するように構成された受信モジュール1210であって、物理接続グループは複数の物理接続を含み、少なくとも1つの仮想接続をサポートし、少なくとも1つの仮想接続のターゲット仮想接続を使用してサービスストリームを送信し、複数の物理接続内の各物理接続を介して送信されるオーバヘッドコードブロック内のタイムスロットリソース構成タイムスロット構成テーブルの内容を識別するために使用されるフィールドは、各物理接続によって現在使用されているタイムスロットリソース構成タイムスロット構成テーブルのみを送信するために使用される、受信モジュール1210と、
複数の物理接続の総帯域幅リソースから、複数の物理接続によって使用されるタイムスロット構成テーブルに従って、ターゲット仮想接続に属するタイムスロット帯域幅リソースを決定するように構成された決定モジュール1220であって、各物理接続によって使用されるタイムスロット構成テーブルは、各物理接続の帯域幅リソースを分割して得られる各タイムスロット帯域幅リソースが属する仮想接続を示すために使用される、決定モジュール1220と、
データストリームから、ターゲット仮想接続に属するタイムスロット帯域幅リソースに従って、ターゲット仮想接続を介して送信されるサービスストリームを復元するように構成された復元モジュール1230と
を含む。
【０１７２】
従来技術では、送信側は各タイムスロット構成テーブルの内容を受信側に送信し、現在使用されているテーブルをオーバヘッド領域に示す。そのため、大量の冗長な情報（例えば、現時点の物理接続で使用されていないタイムスロット構成テーブルの内容を送信する必要がない）が送信される。ただし、本発明のこの実施形態では、オーバヘッド領域において現時点の物理接続で使用されるタイムスロット構成テーブルの内容のみが送信されるので、送信効率が向上し、オーバヘッドリソースの浪費が回避される。
【０１７３】
図13は、本発明の一実施形態による送信機の概略構成図である。図13の送信機1300は、図9の送信側によって実行されるステップを実装することができることを理解されたい。繰り返しを避けるために、詳細はここでは説明しない。図13の送信機1300は、
プログラムを格納するように構成されたメモリ1310と、
プログラムを実行するように構成されたプロセッサ1320であって、プログラムが実行されると、送信対象のサービスストリームを取得し、サービスストリームは、送信側と受信側との間の物理接続グループによってサポートされるターゲット仮想接続を使用することによって送信されるべきであり、物理接続グループは、複数の物理接続を含み、少なくとも1つの仮想接続をサポートし、ターゲット仮想接続は、少なくとも1つの仮想接続のいずれか1つであり；複数の物理接続の総帯域幅リソースから、複数の物理接続によって使用されるタイムスロット構成テーブルに従って、ターゲット仮想接続に属するタイムスロット帯域幅リソースを決定し、各物理接続が使用するタイムスロット構成テーブルは、各物理接続の帯域幅リソースを分割して得られた各タイムスロット帯域幅リソースが属する仮想接続を示すために使用され；ターゲット仮想接続に属するタイムスロット帯域幅リソースを使用してサービスストリームを受信側に送信し、各物理接続を介して送信されるオーバヘッドコードブロック内のタイムスロットリソース構成タイムスロット構成テーブルの内容を識別するために使用されるフィールドは、各物理接続によって現在使用されているタイムスロットリソース構成タイムスロット構成テーブルのみを送信するために使用される、ように特に構成されたプロセッサ1320と、
を含む。
【０１７４】
従来技術では、送信側は、各タイムスロットリソース構成タイムスロット構成テーブルの内容を受信側に送信し、現在使用されているテーブルをオーバヘッド領域に示す。そのため、大量の冗長な情報（例えば、現時点の物理接続で使用されていないタイムスロット構成テーブルの内容を送信する必要がない）が送信される。ただし、本発明のこの実施形態では、オーバヘッド領域において現時点の物理接続で使用されるタイムスロット構成テーブルの内容のみが送信されるので、送信効率が向上し、オーバヘッドリソースの浪費が回避される。
【０１７５】
図14は、本発明の一実施形態による受信機の概略構成図である。図14の受信機1400は、図10の受信側によって実行されるステップを実装することができることを理解されたい。繰り返しを避けるために、詳細はここでは説明しない。図14の受信機1400は、
プログラムを格納するように構成されたメモリ1410と、
プログラムを実行するように構成されたプロセッサ1420であって、プログラムが実行されると、物理接続グループを使用してデータストリームを受信し、物理接続グループは複数の物理接続を含み、少なくとも1つの仮想接続をサポートし、少なくとも1つの仮想接続内のターゲット仮想接続を使用してサービスストリームを送信し、複数の物理接続内の各物理接続を介して送信されるオーバヘッドコードブロック内のタイムスロットリソース構成タイムスロット構成テーブルの内容を識別するために使用されるフィールドは、各物理接続によって現在使用されているタイムスロットリソース構成タイムスロット構成テーブルのみを送信するために使用され；複数の物理接続の総帯域幅リソースから、複数の物理接続によって使用されるタイムスロット構成テーブルに従って、ターゲット仮想接続に属するタイムスロット帯域幅リソースを決定し、各物理接続が使用するタイムスロット構成テーブルは、各物理接続の帯域リソースを分割した各タイムスロット帯域リソースが属する仮想接続を示すために使用され；データストリームから、ターゲット仮想接続に属するタイムスロット帯域幅リソースに従って、ターゲット仮想接続を介して送信されたサービスストリームを復元する、ように特に構成されたプロセッサ1420と
を含む。
【０１７６】
従来技術では、送信側は各タイムスロット構成テーブルの内容を受信側に送信し、現在使用されているテーブルをオーバヘッド領域に示す。そのため、大量の冗長な情報（例えば、現時点の物理接続で使用されていないタイムスロット構成テーブルの内容を送信する必要がない）が送信される。ただし、本発明のこの実施形態では、オーバヘッド領域において現時点の物理接続で使用されるタイムスロット構成テーブルの内容のみが送信されるので、送信効率が向上し、オーバヘッドリソースの浪費が回避される。
【０１７７】
当業者であれば、本明細書で開示された実施形態で説明した例との組み合わせで、ユニットやアルゴリズムステップが、電子ハードウェア、またはコンピュータソフトウェアと電子ハードウェアの組み合わせによって実施され得ることを認識することができる。機能がハードウェアまたはソフトウェアによって実行されるかどうかは、特定のアプリケーションおよび技術的解決策の設計制約条件に依存している。当業者は、特定の各アプリケーションのために説明した機能を実装するために異なる方法を使用することができるが、実装が本発明の範囲外であると考えられるべきではない。
【０１７８】
前述のシステム、装置、およびユニットの詳細な作動プロセスのための、簡便な説明の目的で、前述の方法の実施形態に対応するプロセスが参照され得ることは、当業者であれば明確に理解することができ、詳細はここでは再度説明しない。
【０１７９】
本出願で提供されるいくつかの実施形態では、開示されたシステム、装置、および方法は、他の態様で実現されてもよいことが理解されるべきである。例えば、説明した装置の実施形態は単なる例である。例えば、ユニットの部分は単に論理機能の部分であり、実際の実装においては他の部分であってもよい。例えば、複数のユニットまたは構成要素が組み合わされてもよく、または別のシステムに統合されてもよく、あるいは、一部の機能が無視されて、実行されなくてもよい。また、表示されたまたは議論された相互結合または直接的な結合もしくは通信接続は、いくつかのインタフェースを使用することによって実現されてもよい。装置またはユニット間の間接的な結合または通信接続は、電子的に、機械的に、または他の形式で実現されてもよい。
【０１８０】
別々の部分として記載されたユニットは、物理的に分離されていてもいなくてもよく、ユニットとして表示された部分は、物理的なユニットであってもなくてもよく、1つの位置に配置されていてもよく、または複数のネットワークユニットに分散されていてもよい。ユニットの一部またはすべては、本実施形態の解決策の目的を達成するために実際のニーズに応じて選択され得る。
【０１８１】
また、本発明の実施形態における機能ユニットは、1つの処理ユニットに組み込まれてもよく、または各ユニットは、単独で、物理的に存在してもよく、または2つ以上のユニットが1つのユニットに統合される。
【０１８２】
機能が、ソフトウェア機能ユニットの形態で実装され、独立した製品として販売または使用される場合、機能は、コンピュータ読み取り可能な記憶媒体に格納され得る。このような理解に基づいて、基本的に本発明の技術的解決策、または従来技術に寄与する部分、または技術的解決策のいくつかは、ソフトウェア製品の形態で実現され得る。ソフトウェア製品は、記憶媒体に格納され、本発明の実施形態に記載の方法のステップのすべてまたは一部を実行するために、コンピュータデバイス（パーソナルコンピュータ、サーバ、またはネットワークデバイスであってもよい）を指示するためのいくつかの命令を含む。前述の記憶媒体は：例えば、USBフラッシュドライブ、リムーバブルハードディスク、読み取り専用メモリ（ROM、Read−Only Memory）、ランダムアクセスメモリ（RAM、Random Access Memory）、磁気ディスク、または光ディスクなどの、プログラムコードを格納することができる任意の媒体を含む。
【０１８３】
前述の説明は、本発明の単なる特定の実装態様であり、本発明の保護範囲を限定することを意図されていない。本発明で開示された技術的範囲内で当業者が容易に考え出す任意の変化または置換は、本発明の保護範囲内に入るものとする。したがって、本発明の保護範囲は、特許請求の範囲の保護範囲に従うものとする。
【符号の説明】
【０１８４】
２１０  オーバヘッド領域
５００  送信機
５１０  取得モジュール
５２０  決定モジュール
５３０  送信モジュール
６００  受信機
６１０  受信モジュール
６２０  決定モジュール
６３０  復元モジュール
７００  送信機
７１０  メモリ
７２０  プロセッサ
８００  受信機
８１０  メモリ
８２０  プロセッサ
１１００  送信機
１１１０  取得モジュール
１１２０  決定モジュール
１１３０  送信モジュール
１２００  受信機
１２１０  受信モジュール
１２２０  決定モジュール
１２３０  復元モジュール
１３００  送信機
１３１０  メモリ
１３２０  プロセッサ
１４００  受信機
１４１０  メモリ
１４２０  プロセッサ
【図１】
0006484386.tif 000015
【図２】
0006484386.tif 000016
【図３】
0006484386.tif 000017
【図４】
0006484386.tif 000018
【図５】
0006484386.tif 000019
【図６】
0006484386.tif 000020
【図７】
0006484386.tif 000021
【図８】
0006484386.tif 000022
【図９】
0006484386.tif 000023
【図１０】
0006484386.tif 000024
【図１１】
0006484386.tif 000025
【図１２】
0006484386.tif 000026
【図１３】
0006484386.tif 000027
【図１４】
0006484386.tif 000028